(57)【特許請求の範囲】
【請求項１】
空間領域内で通信媒体を共有するためのワイヤレス通信の方法であって、
第１のワイヤレス通信デバイスによって、前記空間領域内の送信または受信ビームの物理的方向を指す第１の空間サブスペースを介する前記通信媒体内の送信機会（ＴＸＯＰ）を求めて競合するための第１のバックオフカウンタを決定することと、ここにおいて、前記第１のバックオフカウンタを決定することが、第１のコンテンションウィンドウに基づく、
前記第１のワイヤレス通信デバイスによって、前記第１の空間サブスペース内の前記ＴＸＯＰでの送信を検出することと、
前記検出に基づいて、前記第１のワイヤレス通信デバイスによって、前記第１の空間サブスペースとは前記送信または受信ビームの物理的方向において異なる第２の空間サブスペースを介する前記ＴＸＯＰを求めて競合するための第２のバックオフカウンタを決定することと、ここにおいて、前記第２のバックオフカウンタを決定することが、第２のコンテンションウィンドウに基づく、
を備える方法。
【請求項２】
前記第２の空間サブスペースが前記第１の空間サブスペースの部分であり、前記検出された送信が、前記第２の空間サブスペースとは異なる空間サブスペース内にある、請求項１に記載の方法。
【請求項３】
前記第２のバックオフカウンタが前記ＴＸＯＰ内で完了までカウントしたとき、前記第１のワイヤレス通信デバイスによって、前記第２の空間サブスペース内の通信信号を第２のワイヤレス通信デバイスに送信することと、
前記第１のワイヤレス通信デバイスによって、コンテンションウィンドウに基づいて、前記第１の空間サブスペースを介する前記通信媒体内の後続のＴＸＯＰを求めて競合するための第３のバックオフカウンタを決定することとをさらに備える、請求項１に記載の方法。
【請求項４】
前記第２のバックオフカウンタを決定することが、前記送信が検出されたときの前記第１のバックオフカウンタの値を前記第２のバックオフカウンタに割り当てることを含む、請求項１に記載の方法。
【請求項５】
前記第２のバックオフカウンタが前記ＴＸＯＰの終わりに完了までカウントしておらず、前記方法が、前記第１のワイヤレス通信デバイスによって、前記第１の空間サブスペースを介する前記通信媒体内の後続のＴＸＯＰを求めて競合するための第３のバックオフカウンタに、前記第２のバックオフカウンタの値を割り当てることをさらに備える、請求項１に記載の方法。
【請求項６】
前記第１のワイヤレス通信デバイスによって、前記第１の空間サブスペース内の送信誤り率または前記第２の空間サブスペース内の送信誤り率のうちの少なくとも一方に基づいて、前記第１のコンテンションウィンドウを更新することをさらに備える、請求項１に記載の方法。
【請求項７】
前記第１のコンテンションウィンドウと前記第２のコンテンションウィンドウとが異なる、請求項１に記載の方法。
【請求項８】
前記第１のワイヤレス通信デバイスによって、前記第１の空間サブスペース内の送信誤り率に基づいて、前記第１のコンテンションウィンドウを更新することと、
前記第１のワイヤレス通信デバイスによって、前記第２の空間サブスペース内の送信誤り率に基づいて、前記第２のコンテンションウィンドウを更新することとをさらに備える、請求項１に記載の方法。
【請求項９】
前記第１のワイヤレス通信デバイスによって、前記第１の空間サブスペースを介する前記通信媒体内の後続のＴＸＯＰを求めて競合するための第３のバックオフカウンタに、前記送信が検出されたときの前記第１のバックオフカウンタの値を割り当てることをさらに備える、請求項１に記載の方法。
【請求項１０】
空間領域内で通信媒体を共有するための装置であって、
第１のコンテンションウィンドウに基づいて、前記空間領域内の送信または受信ビームの物理的方向を指す第１の空間サブスペースを介する前記通信媒体内の送信機会（ＴＸＯＰ）を求めて競合するための第１のバックオフカウンタを決定することと、
前記第１の空間サブスペース内の前記ＴＸＯＰでの送信を検出することと、
前記検出および第２のコンテンションウィンドウに基づいて、前記第１の空間サブスペースとは前記送信または受信ビームの物理的方向において異なる第２の空間サブスペースを介する前記ＴＸＯＰを求めて競合するための第２のバックオフカウンタを決定することと
をするように構成されるプロセッサを備える装置。
【請求項１１】
前記第２の空間サブスペースが前記第１の空間サブスペースの部分であり、前記検出された送信が、前記第２の空間サブスペースとは異なる空間サブスペース内にある、請求項１０に記載の装置。
【請求項１２】
前記第２のバックオフカウンタが前記ＴＸＯＰ内で完了までカウントしたとき、前記第２の空間サブスペース内の通信信号を第２のワイヤレス通信デバイスに送信するように構成されるトランシーバをさらに備え、
前記プロセッサは、コンテンションウィンドウに基づいて、前記第１の空間サブスペースを介する前記通信媒体内の後続のＴＸＯＰを求めて競合するための第３のバックオフカウンタを決定するようにさらに構成される、請求項１０に記載の装置。
【請求項１３】
前記プロセッサは、前記送信が検出されたときの前記第１のバックオフカウンタの値を第２のバックオフカウンタに割り当てることによって前記第２のバックオフカウンタを決定するようにさらに構成される、請求項１０に記載の装置。
【請求項１４】
前記第２のバックオフカウンタが前記ＴＸＯＰの終わりに完了までカウントしておらず、前記プロセッサが、前記第１の空間サブスペースを介する前記通信媒体内の後続のＴＸＯＰを求めて競合するための第３のバックオフカウンタに、前記第２のバックオフカウンタの値を割り当てるようにさらに構成される、請求項１０に記載の装置。
【請求項１５】
前記プロセッサは、前記第１の空間サブスペース内の送信誤り率または前記第２の空間サブスペース内の送信誤り率のうちの少なくとも一方に基づいて、前記第１のコンテンションウィンドウを更新するようにさらに構成される、請求項１０に記載の装置。
【請求項１６】
前記第１のコンテンションウィンドウと前記第２のコンテンションウィンドウとが異なる、請求項１０に記載の装置。
【請求項１７】
前記プロセッサは、前記第１の空間サブスペース内の送信誤り率に基づいて、前記第１のコンテンションウィンドウを更新し、前記第２の空間サブスペース内の送信誤り率に基づいて、前記第２のコンテンションウィンドウを更新するようにさらに構成される、請求項１０に記載の装置。
【請求項１８】
前記プロセッサは、前記第１の空間サブスペースを介する前記通信媒体内の後続のＴＸＯＰを求めて競合するための第３のバックオフカウンタに、前記送信が検出されたときの前記第１のバックオフカウンタの値を割り当てるようにさらに構成される、請求項１０に記載の装置。
【請求項１９】
空間領域内で通信媒体を共有するためのプログラムコードを記録した非一時的コンピュータ可読媒体であって、
第１のコンテンションウィンドウに基づいて、前記空間領域内の送信または受信ビームの物理的方向を指す第１の空間サブスペースを介する前記通信媒体内の送信機会（ＴＸＯＰ）を求めて競合するための第１のバックオフカウンタを第１のワイヤレス通信デバイスに決定させるためのコードと、
前記第１の空間サブスペース内の前記ＴＸＯＰでの送信を前記第１のワイヤレス通信デバイスに検出させるためのコードと、
前記検出に基づいておよび第２のコンテンションウィンドウに基づいて、前記第１の空間サブスペースとは前記送信または受信ビームの物理的方向において異なる第２の空間サブスペースを介する前記ＴＸＯＰを求めて競合するための第２のバックオフカウンタを前記第１のワイヤレス通信デバイスに決定させるためのコードと
を備えるプログラムコードを有する非一時的コンピュータ可読媒体。
【請求項２０】
前記第２の空間サブスペースが前記第１の空間サブスペースの部分であり、前記検出された送信が、前記第２の空間サブスペースとは異なる空間サブスペース内にある、請求項１９に記載の非一時的コンピュータ可読媒体。
【請求項２１】
前記第２のバックオフカウンタが前記ＴＸＯＰ内で完了までカウントしたとき、前記第１のワイヤレス通信デバイスに、前記第２の空間サブスペース内の通信信号を第２のワイヤレス通信デバイスに送信させるためのコードと、
コンテンションウィンドウに基づいて、前記第１の空間サブスペースを介する前記通信媒体内の後続のＴＸＯＰを求めて競合するための第３のバックオフカウンタを前記第１のワイヤレス通信デバイスに決定させるためのコードとをさらに備える、請求項１９に記載の非一時的コンピュータ可読媒体。
【請求項２２】
前記第１のワイヤレス通信デバイスに前記第２のバックオフカウンタを決定させるための前記コードが、前記送信が検出されたときの前記第１のバックオフカウンタの値を前記第２のバックオフカウンタに割り当てるようにさらに構成される、請求項１９に記載の非一時的コンピュータ可読媒体。
【請求項２３】
前記第２のバックオフカウンタが前記ＴＸＯＰの終わりに完了までカウントしておらず、前記コンピュータ可読媒体が、前記第１のワイヤレス通信デバイスに、前記第１の空間サブスペースを介する前記通信媒体内の後続のＴＸＯＰを求めて競合するための第３のバックオフカウンタに前記第２のバックオフカウンタの値を割り当てさせるためのコードをさらに備える、請求項１９に記載の非一時的コンピュータ可読媒体。
【請求項２４】
前記第１のワイヤレス通信デバイスに、前記第１の空間サブスペース内の送信誤り率またはと前記第２の空間サブスペース内の送信誤り率のうちの少なくとも一方に基づいて、前記第１のコンテンションウィンドウを更新させるためのコードをさらに備える、請求項１９に記載の非一時的コンピュータ可読媒体。
【請求項２５】
前記第１のコンテンションウィンドウと前記第２のコンテンションウィンドウとが異なる、請求項１９に記載の非一時的コンピュータ可読媒体。
【請求項２６】
前記第１のワイヤレス通信デバイスに、前記第１の空間サブスペース内の送信誤り率に基づいて、前記第１のコンテンションウィンドウを更新させるためのコードと、
前記第１のワイヤレス通信デバイスに、前記第２の空間サブスペース内の送信誤り率に基づいて、前記第２のコンテンションウィンドウを更新させるためのコードとをさらに備える、請求項１９に記載の非一時的コンピュータ可読媒体。
【請求項２７】
前記第１のワイヤレス通信デバイスに、前記第１の空間サブスペースを介する前記通信媒体内の後続のＴＸＯＰを求めて競合するための第３のバックオフカウンタに前記送信が検出されたときの前記第１のバックオフカウンタの値を割り当てさせるためのコードをさらに備える、請求項１９に記載の非一時的コンピュータ可読媒体。
【発明の詳細な説明】
【関連出願の相互参照】
【０００１】
[0001]  本願は、その全体が以下に明記されたかのように全ての適用可能な目的で本明細書に参照により組み込まれる、２０１８年９月１２日に出願された米国非仮特許出願第１６／１２９４７３号、および２０１７年１０月１１日に出願された米国仮特許出願６２／５７１，０２７号の優先権および利益を主張する。
【技術分野】
【０００２】
[0002]  本願は、ワイヤレス通信システムに関し、より詳細には、空間領域内の媒体共有のためにランダムバックオフを行うことに関する。
【背景技術】
【０００３】
[0003]  ワイヤレス通信システムは、音声、ビデオ、パケットデータ、メッセージング、ブロードキャストなどの様々なタイプの通信コンテンツを提供するために広範に配置されている。これらのシステムは、利用可能なシステムリソース（例えば、時間、周波数、および電力）を共有することによって複数のユーザとの通信をサポートできる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（例えば、Ｌｏｎｇ  Ｔｅｒｍ  Ｅｖｏｌｕｔｉｏｎ（ＬＴＥ（登録商標））システム）を含む。ワイヤレス多元接続通信システムは、ユーザ機器（ＵＥ）とも呼ばれることのある複数の通信デバイスについての通信をそれぞれ同時にサポートするいくつかの基地局（ＢＳ）を含み得る。
【０００４】
[0004]  拡大するモバイルブロードバンド接続性に対する需要の高まりに応えるために、ワイヤレス通信技術は、ＬＴＥ技術から次世代新無線（ＮＲ）技術に進歩しつつある。ＮＲは、免許スペクトル、共有スペクトル、および／または無免許スペクトル内のネットワークオペレータ間の動的媒体共有のための備えであり得る。例えば、共有スペクトルおよび／または無免許スペクトルは、約３．５ギガヘルツ（ＧＨｚ）、約６ＧＨｚ、および約６０ＧＨｚの周波数帯を含み得る。
【０００５】
[0005]  共有通信媒体または共有チャネル内通信するときにコリジョンを回避するための一手法は、共有チャネル内で信号を送信する前に共有チャネルがクリアであることを保証するためにｌｉｓｔｅｎ−ｂｅｆｏｒｅ−ｔａｌｋ（ＬＢＴ）手順を使用することである。ノードが複数のアンテナを含むとき、媒体共有は、時間および／または周波数共有に加えて空間次元を含み得る。例えば、ノードは、共有チャネル内の送信機会（ＴＸＯＰ：transmission opportunity）の予約を送信し、予約でのＴＸＯＰ中に使用されるべき空間次元（例えば、１つまたは複数の空間層または空間方向）を示し得る。従って、他のノードは空間領域内で媒体を共有し得る。例えば、ノードは、特定の空間層または空間方向内の進行中の送信（例えば、予約）を検出し、予約されていない空間層または予約されていない空間方向を使用して、進行中の送信の上に送信を重ね合わせ得る。
【０００６】
[0006]  チャネルアクセスを取得する、またはチャネルアクセスを求めて競合するノード間のコンテンションを解決するために、ランダムバックオフが一般的に使用される。例えば、各ノードは、チャネルを求める競合することを試みる前、チャネル内で進行中の送信を検出した後、および／またはまたはチャネル内で送信するためのアクセスを獲得した後、時間期間にわたって待機するランダムバックオフプロセスを行い得る。ランダムバックオフプロセスの構成は、ノード間の共有の媒体共有性能および公平性に影響を及ぼし得る。
【発明の概要】
【０００７】
[0007]  以下は、論じられる技術の基本的理解を与えるために、本開示のいくつかの態様を要約する。この概要は、本開示の全ての企図される特徴の包括的な概要ではなく、本開示の全ての態様の主な要素または重要な要素を特定することも、本開示の何らかの態様または全て態様の範囲を定めることも意図されない。その唯一の目的は、後で提示されるより詳細な説明の前置きとして、本開示の１つまたは複数の態様のいくつかの概念を概要の形で提示することである。
【０００８】
[0008]  例えば、本開示の一態様では、ワイヤレス通信の方法は、第１のワイヤレス通信デバイスによって、第１の空間サブスペースを介する通信媒体内の送信機会（ＴＸＯＰ）を求めて競合するための第１のバックオフカウンタを決定することと、第１のワイヤレス通信デバイスによって、第１の空間サブスペース内のＴＸＯＰでの送信を検出することと、検出に基づいて、第１のワイヤレス通信デバイスによって、第１の空間サブスペースとは異なる第２の空間サブスペースを介するＴＸＯＰを求めて競合するための第２のバックオフカウンタを決定することとを含む。
【０００９】
[0009]  本開示の追加の態様では、装置は、第１の空間サブスペースを介する通信媒体内の送信機会（ＴＸＯＰ）を求めて競合するための第１のバックオフカウンタを決定するための手段と、第１の空間サブスペース内のＴＸＯＰでの送信を検出するための手段と、検出に基づいて、第１の空間サブスペースとは異なる第２の空間サブスペースを介するＴＸＯＰを求めて競合するための第２のバックオフカウンタを決定するための手段とを含む。
【００１０】
[0010]  本開示の追加の態様では、プログラムコードを記録したコンピュータ可読媒体、プログラムコードは、第１の空間サブスペースを介する通信媒体内の送信機会（ＴＸＯＰ）を求めて競合するための第１のバックオフカウンタを第１のワイヤレス通信デバイスに決定させるためのコードと、第１の空間サブスペース内のＴＸＯＰでの送信を第１のワイヤレス通信デバイスに検出させるためのコードと、検出に基づいて、第１の空間サブスペースとは異なる第２の空間サブスペースを介するＴＸＯＰを求めて競合するための第２のバックオフカウンタを第１のワイヤレス通信デバイスに決定させるためのコードとを含む。
【００１１】
[0011]  本発明の特定の例示的実施形態の以下の説明を添付の図とともに検討するとき、本発明の他の態様、特徴、および実施形態が当業者には明らかとなるであろう。本発明の特徴が、以下でいくつかの実施形態および図に関して論じられることがあるが、本発明の全ての実施形態は、本明細書で論じられる有利な特徴のうちの１つまたは複数を含み得る。言い換えれば、１つまたは複数の実施形態が、いくつかの有利な特徴を有するものとして論じられることがあるが、そのような特徴のうちの１つまたは複数はまた、本明細書で論じられる本発明の様々な実施形態に従って使用され得る。同様に、例示的実施形態が、以下でデバイス実施形態、システム実施形態、または方法実施形態として論じられることがあるが、様々なデバイス、システム、および方法で例示的実施形態が実施され得ることを理解されたい。
【図面の簡単な説明】
【００１２】
【図１】本開示の実施形態によるワイヤレス通信ネットワークを示す図。
【図２】本開示の実施形態による、空間領域内の媒体共有を実施するワイヤレス通信ネットワークを示す図。
【図３】本開示の実施形態による媒体共有スキームを示す図。
【図４】本開示の実施形態による例示的ユーザ機器（ＵＥ）のブロック図。
【図５】本開示の実施形態による例示的基地局（ＢＳ）のブロック図。
【図６】本開示の実施形態による、複数の空間次元について単一のランダムバックオフプロセスを使用するランダムバックオフスキームを示す図。
【図７】本開示の実施形態による、複数の空間次元について単一のランダムバックオフプロセスを使用するランダムバックオフスキームを示す図。
【図８】本開示の実施形態による、複数の空間次元について複数のランダムバックオフプロセスを使用するランダムバックオフスキームを示す図。
【図９】本開示の実施形態による、複数の空間次元について複数のランダムバックオフプロセスを使用するランダムバックオフスキームを示す図。
【図１０】本開示の実施形態による、空間領域内の媒体共有のためのランダムバックオフ方法の流れ図。
【詳細な説明】
【００１３】
[0022]  以下で添付の図面とともに説明する詳細な説明は、様々な構成の説明として意図され、本明細書で説明される概念が実施され得る唯一の構成を表すことは意図されない。詳細な説明は、様々な概念の完全な理解を与えるための特定の詳細を含む。しかしながら、これらの概念がこれらの特定の詳細なしに実施され得ることが、当業者には明らかとなるであろう。いくつかの例では、そのような概念を不明瞭にすることを避けるために、周知の構造および構成要素がブロック図形式で示される。
【００１４】
[0023]  本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリアＦＤＭＡ（ＳＣ−ＦＤＭＡ）、および他のネットワークなどの様々なワイヤレス通信ネットワークについて使用され得る。「ネットワーク」および「システム」という用語は、しばしば同義で使用される。ＣＤＭＡネットワークは、ユニバーサル地上無線アクセス（ＵＴＲＡ）、ｃｄｍａ２０００などの無線技術を実施し得る。ＵＴＲＡは、広帯域ＣＤＭＡ（ＷＣＤＭＡ（登録商標））およびＣＤＭＡの他の変異形を含む。ｃｄｍａ２０００はＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実施し得る。ＯＦＤＭＡネットワークは、進化型ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ｆｌａｓｈ−ＯＦＤＭＡなどの無線技術を実施し得る。ＵＴＲＡおよびＥ−ＵＴＲＡはユニバーサル移動体通信システム（ＵＭＴＳ）の部分である。３ＧＰＰ（登録商標）Ｌｏｎｇ  Ｔｅｒｍ  Ｅｖｏｌｕｔｉｏｎ（ＬＴＥ）およびＬＴＥ  Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書で説明されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書で説明されている。本明細書で説明される技法は、前述のワイヤレスネットワークおよび無線技術、並びに次世代（例えば、ｍｍＷａｖｅ帯域内で動作する第５世代（５Ｇ））ネットワークなどの他のワイヤレスネットワークおよび無線技術のために使用され得る。
【００１５】
[0024]  本開示は、空間領域内の媒体共有のために複数の空間次元でランダムバックオフを行うための機構について説明する。空間ＬＢＴ手順を行うために、ノードは、第１の空間サブスペースまたは空間次元を介する通信媒体内の送信機会（ＴＸＯＰ）を求めて競合するための第１のバックオフカウンタを決定し得る。例えば、ノードは、コンテンションウィンドウに基づいて、第１のバックオフカウンタについてのバックオフ値を引き出し得る。第１のバックオフカウンタが完了までカウントしたとき、ノードは、第１の空間サブスペース内の通信媒体で送信し得る。第１の空間サブスペース内で送信した後、ノードは、後続のＴＸＯＰを求めて競合するための別のバックオフ値を引き出し得る。しかしながら、第１の空間サブスペース内で進行中の送信（例えば、ＴＸＯＰの予約）を検出したとき、ノードは、第２の空間サブスペース内で競合することに切り替わり得る。第２の空間サブスペースは第１の空間サブスペースの一部であり得るが、進行中の送信によって使用される空間サブスペースを除外する。ノードは、第２の空間サブスペース内で競合するための第２のバックオフカウンタを決定し得る。コンテンションの成功時に、ノードは、ＴＸＯＰで進行中の送信の上に送信を空間的に重ね合わせ得る。第２のバックオフカウンタの決定は、ノードが異なる空間次元にわたって単一のランダムバックオフプロセスを使用するか、または複数のランダムバックオフプロセスを使用するかに依存し得る。
【００１６】
[0025]  一実施形態では、ノードは、複数のサブスペースにわたって単一のランダムバックオフプロセスを使用し得る。ノードは、進行中の送信が検出されたときの第１のバックオフカウンタの値を第２のバックオフカウンタに割り当て得る。言い換えれば、ノードは、異なる空間サブスペースに切り替わったとき、同一のバックオフプロセスでのカウントを続行する。後続のＴＸＯＰでは、ノードは、第１の空間サブスペース内で競合することに戻り得る。ノードが現ＴＸＯＰ内で首尾よく競合したとき（例えば、任意の空間サブスペース内での送信）、ノードは、後続のＴＸＯＰについての新しいバックオフ値を再引出しし得る。しかしながら、ノードが現ＴＸＯＰ内の任意の空間サブスペース内の通信媒体へのアクセスを獲得することに失敗したとき、ノードは、後続のＴＸＯＰについてのカウントを続行し得る。
【００１７】
[0026]  一実施形態では、ノードは、複数のランダムバックオフプロセスを使用し得る。進行中の送信の検出時に、ノードは、第１のバックオフカウンタの現在値を記憶し得る。ノードは、第１のバックオフカウンタの現在値を第２のバックオフカウンタに割り当て得る。後続のＴＸＯＰでは、ノードは、第１の空間サブスペース内で競合することに戻り得る。ノードは、ノードが現ＴＸＯＰでの送信を重ね合わせ得るかどうかの如何にかかわらず、ランダムバックオフについての記憶された値を使用し得る。第１の空間サブスペース内で競合するためのランダムバックオフプロセスは、親プロセスと呼ばれることがある。第２の空間サブスペース（例えば、第１の空間サブスペースのサブスペース）内で競合するためのランダムバックオフプロセスは、子プロセスと呼ばれることがある  ノードは、異なる空間サブスペースについて異なるランダムバックオフプロセスを維持し得るが、子ランダムバックオフプロセスは、対応する親ランダムバックオフプロセスに依存する。
【００１８】
[0027]  別の実施形態では、ノードは、複数のランダムバックオフプロセスを使用し得るが、コンテンションウィンドウに基づいて、第２のバックオフカウンタについての新しいバックオフ値を引き出し得る。ノードは、進行中の送信が検出された時の第１のバックオフカウンタの現在値を記憶し得る。後続のＴＸＯＰでは、ノードは、ノードが現ＴＸＯＰでの送信を重ね合わせ得るかどうかにかかわらず、ランダムバックオフについての記憶された値を使用して、第１の空間サブスペース内で競合することに戻り得る。言い換えれば、ノードは、異なる空間サブスペースについて異なるランダムバックオフプロセスを維持し得、子ランダムバックオフプロセスは、対応する親バックオフプロセスとは無関係であり得る。
【００１９】
[0028]  開示される実施形態はカウントダウンプロセスを使用するランダムバックオフについて説明するが、代替として、ランダムバックオフは、類似の機能を達成するためにカウントアッププロセスを使用するように構成され得る。開示される実施形態は、空間領域内の送信ビームまたは受信ビームの物理的方向を指すために、空間サブスペース、空間次元、空間方向、および空間層という用語を同義で使用し得る。
【００２０】
[0029]  図１は、本開示の実施形態によるワイヤレス通信ネットワーク１００を示す。ネットワーク１００は、ＢＳ１０５、ＵＥ１１５、およびコアネットワーク１３０を含む。いくつかの実施形態では、ネットワーク１００は共有スペクトルを介して動作する。共有スペクトルは、無免許であり得、または１つもしくは複数のネットワークオペレータに対して部分的に認可され得る。スペクトルに対するアクセスが限定され得、別々の調整エンティティによって制御され得る。いくつかの実施形態では、ネットワーク１００はＬＴＥまたはＬＴＥ−Ａネットワークであり得る。さらに別の実施形態では、ネットワーク１００はミリメートル波（ｍｍＷ）ネットワーク、新無線（ＮＲ）ネットワーク、５Ｇネットワーク、またはＬＴＥの任意の他の後継ネットワークであり得る。ネットワーク１００は複数のネットワークオペレータによって操作され得る。ワイヤレスリソースは、ネットワーク１００を介するネットワークオペレータ間の調整された通信のために、異なるネットワークオペレータ間で区分化され、調停され得る。
【００２１】
[0030]  ＢＳ１０５は、１つまたは複数のＢＳアンテナを介してＵＥ１１５とワイヤレスに通信し得る。各ＢＳ１０５は、それぞれの地理的カバレッジエリア１１０についての通信カバレッジを提供し得る。３ＧＰＰでは、「セル」という用語は、用語が使用される文脈に応じて、カバレッジエリアにサービスするＢＳおよび／またはＢＳサブシステムのこの特定の地理的カバレッジエリアを指すことがある。この点で、ＢＳ１０５は、マクロセル、ピコセル、フェムトセル、および／または他のタイプのセルについての通信カバレッジを提供し得る。マクロセルは一般には比較的大きい地理的エリア（例えば、半径数キロメートル）をカバーし、ネットワークプロバイダにサービス加入しているＵＥによる無制限アクセスを可能にし得る。ピコセルは一般には比較的小さい地理的エリアをカバーし得、ネットワークプロバイダにサービス加入しているＵＥによる無制限アクセスを可能にし得る。フェムトセルも一般には比較的小さい地理的エリア（例えば、自宅）をカバーし、無制限アクセスに加えて、フェムトセルとの関連付けを有するＵＥ（例えば、限定加入者グループ（ＣＳＧ）内のＵＥ、自宅内のユーザ用のＵＥなど）による制限付きアクセスを提供し得る。マクロセルについてのＢＳはマクロＢＳと呼ばれることがある。ピコセルについてのＢＳはピコＢＳと呼ばれることがある。フェムトセルについてのＢＳはフェムトＢＳまたはホームＢＳと呼ばれることがある。図１に示される例では、ＢＳ１０５ａ、１０５ｂ、および１０５ｃは、それぞれカバレッジエリア１１０ａ、１１０ｂ、および１１０ｃについてのマクロＢＳの例である。ＢＳ１０５ｄは、カバレッジエリア１１０ｄについてのピコＢＳまたはフェムトＢＳの一例である。理解されるであろうが、ＢＳ１０５は、１つまたは複数の（例えば、２つ、３つ、４つなど）セルをサポートし得る。
【００２２】
[0031]  ネットワーク１００内に示される通信リンク１２５は、ＵＥ１１５からＢＳ１０５へのアップリンク（ＵＬ）送信、またはＢＳ１０５からＵＥ１１５へのダウンリンク（ＤＬ）送信を含み得る。ＵＥ１１５は、ネットワーク１００全体にわたって分散され得、各ＵＥ１１５は静止し、またはモバイルであり得る。ＵＥ１１５は、移動局、加入者局、モバイルユニット、サブスクライバユニット、ワイヤレスユニット、リモートユニット、モバイルデバイス、ワイヤレスデバイス、ワイヤレス通信デバイス、リモートデバイス、モバイル加入者局、アクセス端末、移動端末、ワイヤレス端末、リモート端末、ハンドセット、ユーザエージェント、モバイルクライアント、クライアント、または何らかの他の適切な用語で呼ばれることもある。ＵＥ１１５はまた、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ（ＷＬＬ）局、モノのインターネット（ＩｏＴ）デバイス、インターネットオブエブリシング（ＩｏＥ）デバイス、マシンタイプ通信（ＭＴＣ）デバイス、アプライアンス、自動車などであり得る。
【００２３】
[0032]  ＢＳ１０５は、コアネットワーク１３０と通信し得、互いに通信し得る。コアネットワーク１３０は、ユーザ認証、アクセス許可、追跡、インターネットプロトコル（ＩＰ）接続性、および他のアクセス、ルーティング、またはモビリティ機能を提供し得る。ＢＳ１０５のうちの少なくともいくつか（例えば、それは進化型ＮｏｄｅＢ（ｅＮＢ）、次世代ＮｏｄｅＢ（ｇＮＢ）、またはアクセスノードコントローラ（ＡＮＣ）の一例であり得る）は、バックホールリンク１３２（例えば、Ｓ１、Ｓ２など）を通じてコアネットワーク１３０とインターフェースし得、ＵＥ１１５との通信のために無線構成およびスケジューリングを行い得る。様々な例では、ＢＳ１０５は、ワイヤードまたはワイヤレス通信リンクであり得るバックホールリンク１３４（例えば、Ｘ１、Ｘ２など）を介して、互いに直接的または間接的に（例えば、コアネットワーク１３０を通じて）通信し得る。
【００２４】
[0033]  各ＢＳ１０５はまた、いくつかの他のＢＳ１０５を通じて、いくつかのＵＥ１１５と通信し得、ＢＳ１０５はスマートラジオヘッドの一例であり得る。代替構成では、各ＢＳ１０５の様々な機能が、様々なＢＳ１０５（例えば、ラジオヘッドおよびアクセスネットワークコントローラ）にわたって分散され、または単一のＢＳ１０５に統合され得る。
【００２５】
[0034]  いくつかの実施では、ネットワーク１００は、ダウンリンク上で直交周波数分割多重方式（ＯＦＤＭ）を利用し、ＵＬ上でシングルキャリア周波数分割多重（ＳＣ−ＦＤＭ）を利用する。ＯＦＤＭおよびＳＣ−ＦＤＭは、一般にトーン、ビンなどとも呼ばれる複数（Ｋ）の直交副搬送波にシステム帯域幅を区分化する。各副搬送波はデータで変調され得る。一般には、変調シンボルは周波数領域ではＯＦＤＭで送られ、時間領域ではＳＣ−ＦＤＭで送られる。隣接する副搬送波間の間隔が固定され得、副搬送波の総数（Ｋ）はシステム帯域幅に依存し得る。システム帯域幅はまた、サブバンドに区分化され得る。
【００２６】
[0035]  一実施形態では、ＢＳ１０５は、ネットワーク１００内のＤＬおよびＵＬ送信のために（例えば、時間−周波数リソースブロックの形の）送信リソースを割り当て、またはスケジューリングし得る。ＤＬは、ＢＳ１０５からＵＥ１１５への送信方向を指すのに対して、ＵＬは、ＵＥ１１５からＢＳ１０５への送信方向を指す。通信は無線フレームの形態であり得る。無線フレームは、複数、例えば約１０個のサブフレームに分割され得る。各サブフレームは、例えば約２個のスロットに分割され得る。周波数分割複信（ＦＤＤ）モードでは、同時ＵＬおよびＤＬ送信が異なる周波数帯で行われ得る。例えば、各サブフレームは、ＵＬ周波数帯内のＵＬサブフレームと、ＤＬ周波数帯内のＤＬサブフレームとを含む。時分割複信（ＴＤＤ）モードでは、ＵＬおよびＤＬ送信が、同一の周波数帯を使用して異なる時間期間で行われる。例えば、無線フレーム内のサブフレーム（例えば、ＤＬサブフレーム）のサブセットがＤＬ送信のために使用され得、無線フレーム内のサブフレーム（例えば、ＵＬサブフレーム）の別のサブセットがＵＬ送信のために使用され得る。
【００２７】
[0036]  ＤＬサブフレームおよびＵＬサブフレームは、いくつかの領域に分割され得る。例えば、各ＤＬまたはＵＬサブフレームは、基準信号、制御情報、およびデータの送信のための事前定義された領域を有し得る。基準信号は、ＢＳ１０５とＵＥ１１５との間の通信を容易にする所定の信号である。例えば、基準信号は、特定のパイロットパターンまたは構造を有し得、パイロットトーンは、動作帯域幅または周波数帯にわたって広がり得、事前定義された時間および事前定義された周波数にそれぞれ配置される。例えば、ＢＳ１０５は、ＵＥ１１５がＤＬチャネルを推定することを可能にするように、セル特有基準信号（ＣＲＳ）および／またはチャネル状態情報−基準信号（ＣＳＩ−ＲＳ）を送信し得る。同様に、ＵＥ１１５は、ＢＳ１０５がＵＬチャネルを推定することを可能にするように、サウンディング基準信号（ＳＲＳ）を送信し得る。制御情報はリソース割当てとプロトコル制御とを含み得る。データはプロトコルデータおよび／または動作データを含み得る。いくつかの実施形態では、ＢＳ１０５およびＵＥ１１５は自立サブフレームを使用して通信し得る。自立サブフレームは、ＤＬ通信のための部分と、ＵＬ通信のための部分とを含み得る。自立サブフレームはＤＬ中心またはＵＬ中心であり得る。ＤＬ中心サブフレームは、ＤＬ通信ザＵＬ通信についてより長い持続時間を含み得る。ＵＬ中心サブフレームは、ＵＬ通信ザＤＬ通信についてより長い持続時間を含み得る。
【００２８】
[0037]  一実施形態では、ネットワーク１００にアクセスすることを試みるＵＥ１１５は、ＢＳ１０５からの一次同期信号（ＰＳＳ）を検出することによって初期セル探索を行い得る。ＰＳＳは、期間タイミングの同期を可能にし得、物理層識別値を示し得る。次いで、ＵＥ１１５は２次同期信号（ＳＳＳ）を受信し得る。ＳＳＳは、無線フレーム同期を可能にし得、セルを識別するために物理層識別値と組み合わされ得るセル識別値を提供し得る。ＳＳＳはまた、複信モードおよび巡回プレフィックス長の検出を可能にし得る。ＴＤＤシステムなどのいくつかのシステムはＳＳＳを送信し得るが、ＰＳＳを送信し得ない。ＰＳＳとＳＳＳの両方は、それぞれ搬送波の中心部分に配置され得る。ＰＳＳとＳＳＳとを受信した後、ＵＥ１１５は、物理ブロードキャストチャネル（ＰＢＣＨ）で送信され得るマスタ情報ブロック（ＭＩＢ）を受信し得る。ＭＩＢは、システム帯域幅情報と、システムフレーム番号（ＳＦＮ）と、Ｐｈｙｓｉｃａｌ  Ｈｙｂｒｉｄ−ＡＲＱ  Ｉｎｄｉｃａｔｏｒ  Ｃｈａｎｎｅｌ（ＰＨＩＣＨ）構成とを含み得る。ＭＩＢを復号化した後、ＵＥ１１５は１つまたは複数のシステム情報ブロック（ＳＩＢ）を受信し得る。例えば、ＳＩＢ１は、他のＳＩＢについてのセルアクセスパラメータとスケジューリング情報とを含み得る。ＳＩＢ１を復号化することは、ＵＥ１１５がＳＩＢ２を受信することを可能にし得る。ＳＩＢ２は、ランダムアクセスチャネル（ＲＡＣＨ）手順と、ページングと、物理アップリンク制御チャネル（ＰＵＣＣＨ）と、物理アップリンク共有チャネル（ＰＵＳＣＨ）と、電力制御と、ＳＲＳと、セルバーリングとに関する無線リソース構成（ＲＲＣ）構成情報を含み得る。ＭＩＢおよび／またはＳＩＢを取得した後、ＵＥ１１５は、ＢＳ１０５との接続を確立するためにランダムアクセス手順を行い得る。接続を確立した後、ＵＥ１１５およびＢＳ１０５は、通常の動作段階に入り得、動作データが交換され得る。
【００２９】
[0038]  一実施形態では、ネットワーク１００は共有チャネルを介して動作し得、共有チャネルは、免許スペクトル、共有スペクトル、および／または無免許スペクトルを含み得、動的媒体共有をサポートし得る。ＢＳ１０５およびＵＥ１１５は、共有チャネル内のリソースを共有する複数のネットワーク操作エンティティによって操作され得る。ＢＳ１０５またはＵＥ１１５は、送信機会（ＴＸＯＰ）でデータを送信する前に、予約要求信号を送信することによって共有チャネル内のＴＸＯＰを予約し得る。対応する受信機（例えば、ＢＳ１０５またはＵＥ１１５）は、予約応答信号を送信することによって応答し得る。コリジョンを回避するために、他のＢＳ１０５および／または他のＵＥ１１５がチャネルを聴取し、予約要求信号および／または予約応答信号の検出時に、ＴＸＯＰの間にチャネルにアクセスすることを控え得る。例えば、共有チャネル内で送信することを意図するノードは、ランダムカウンタを使用してカウントダウンプロセスを開始し得る。カウントダウンが完了したとき、ノードは共有チャネルを聴取し得る。共有チャネルが占有されないとき、ノードはノードの送信を開始し得る。
【００３０】
[0039]  一実施形態では、ネットワーク１００は、媒体またはチャネル利用効率をさらに向上させるために、空間領域を介する媒体共有を行い得る。例えば、ＢＳ１０５および／またはＵＥ１１５は複数のアンテナ（例えば、アンテナアレイ）を備え得、信号送信および受信のために特定の空間方向にビームを形成し得る。空間共有を可能にするために、予約側ノード（例えば、ＢＳ１０５またはＵＥ１１５）は、ＴＸＯＰを求める予約で空間層または空間次元情報を示し得る。他のノードはチャネルを聴取し得る。他のノードは、例えば空間領域内の信号エネルギーを測定することによって予約を検出し得、ＴＸＯＰの間、残りの空間層、次元、または方向を使用し得る。言い換えれば、ネットワーク１００内のノードは、空間ＬＢＴを行い、進行中の送信の空間サブスペースに直交する空間サブスペースを使用することによって空間領域で進行中の送信の上に送信を重ね合わせ得る。
【００３１】
[0040]  ノードは、チャネルを求めて競合する前にランダムバックオフカウントダウンプロセスを行い得る。一実施形態では、ノードは、空間ＬＢＴの間の空間サブスペースの変化にかかわらず、全ての空間サブスペースについて単一のランダムバックオフカウントダウンプロセスを使用し得る。別の実施形態では、ノードは、空間ＬＢＴの間、異なるサブスペースについて異なるランダムバックオフカウントダウンプロセスを使用し得る。異なるランダムバックオフカウントダウンプロセスは、同一のコンテンションウィンドウまたは異なるコンテンションウィンドウに基づき得、互いに依存し、または無関係であり得る。空間ＬＢＴでランダムバックオフを行うための機構は、本明細書でより詳細に説明される。
【００３２】
[0041]  図２は、本開示の実施形態による、空間領域内の媒体共有を実施するワイヤレス通信ネットワーク２００を示す。ネットワーク２００はネットワーク１００の一部に対応する。議論を簡単にするために、図２は２つのＢＳと２つのＵＥ２１５とを示すが、本開示の実施形態がより多くのＵＥ２１５および／またはＢＳ２０５にスケーリングし得ることを理解されよう。ＢＳ２０５およびＵＥ２１５は、それぞれＢＳ１０５およびＵＥ１１５と同様であり得る。ネットワーク２００は、周波数スペクトルを共有する複数のオペレータによって操作され得る。例えば、オペレータＡはＢＳ２０５ａとＵＥ２１５ａとを操作し得、オペレータＢはＢＳ２０５ｂとＵＥ２１５ｂとを操作し得る。さらに、議論を簡単にするために、図２は、各ＢＳ２０５が４つの送信アンテナ２２０を含み、ＵＥ２１５ａが２つの受信アンテナ２２２を含み、ＵＥ２１５ｂが１つの受信アンテナ２２２を含むことを示すが、本開示の実施形態がＢＳ２０５および／またはＵＥ２１５での任意の適切な数の送信アンテナおよび／または受信アンテナにスケーリングし得ることを理解されよう。例えば、ＢＳ２０５またはＵＥ２１５は、１〜６４個の間のアンテナを含むアンテナアレイを含み得る。
【００３３】
[0042]  ４つの送信アンテナ２２０を有するＢＳ２０５ａは、最大で送信ランク４または４つの空間層をサポートし得る。ＢＳ２０５ａは、いくつかの空間層を介してＵＥ２１５ａと通信するために、単入力単出力（ＳＩＳＯ）、単入力多出力（ＳＩＭＯ）、多入力単出力（ＭＩＳＯ）、または多入力多出力（ＭＩＭＯ）タイププリコーディング技法を採用し得る。ＢＳ２０５ａは、送信アンテナ２２０のサブセットまたは全てを使用してＵＥ２１５ａと通信し得る。例えば、ＢＳ２０５ａは、２×２リンクと呼ばれることのあるリンク２３０によって示されるように、２つのアンテナ２２０を使用してＵＥ２１５ａと通信し得る。
【００３４】
[0043]  同様に、４つの送信アンテナ２２０を有するＢＳ２０５ｂは、最大で送信ランク４または４つの空間層をサポートし得る。ＵＥ２１５ｂは１つのアンテナ２２２を含むので、ＢＳは、１×１リンク（例えば、単入力単出力（ＳＩＳＯ））を形成するために１つの送信アンテナ２２０を使用して、または２×１リンク（例えば、ＭＩＳＯ）を形成するために２つの送信アンテナを使用してＵＥ２１５ｂと通信し得る。
【００３５】
[0044]  一例として、ＢＳ２０５およびＵＥ２１５は共有チャネルを介して動作し、ＢＳ２０５ａとＢＳ２０５ｂの両方は、それぞれＵＥ２１５ａおよびＵＥ２１５ｂに送信するためのデータを有する。ＢＳ２０５ａとＢＳ２０５ｂの両方は、送信前にカウントダウンプロセスを開始し得る。カウントダウンプロセスを行うために、ＢＳ２０５ａまたはＢＳ２０５ｂは、１から（例えば、時間期間に対応する）コンテンションウィンドウサイズの間の間隔にわたって、例えばユニフォームディストリビュータから整数値を引き出し、選択された値でカウンタまたはタイマを構成し得る。カウンタが完了までカウントしたとき、またはタイマが満了したとき、カウントダウンプロセスが完了する。例えば、ＢＳ２０５ｂはＢＳ２０５ａの前にカウントダウンプロセスを完了し、従って共有チャネルへのアクセスを獲得し得る。例えば、ＢＳ２０５ｂは、ＵＥ２１５ｂと通信するためのＴＸＯＰの予約を示すために、予約要求（ＲＲＱ）信号を送信し得る。ＵＥ２１５ｂは、予約応答（ＲＲＳ）信号（例えば、ｃｌｅａｒ−ｔｏ−ｓｅｎｄ（ＣＴＳ）信号）で応答し得る。その後で、リンク２３２によって示されるように、ＢＳ２０５ｂは、ＴＸＯＰの間に、例えば１つの空間層を介して、ＵＥ２１５ｂとデータを通信し得る。ＢＳ２０５ａがＵＥ２１５ｂの近くに物理的に配置されるとき、ＢＳ２０５ａは、ＢＳ２０５ｂからＵＥ２１５ｂへの進行中の送信を検出し得る。
【００３６】
[0045]  時間および周波数のみにわたって媒体共有を採用するとき、ＢＳ２０５ａは、（例えば、クロスリンク２３４を介して）ＵＥ２１５ｂでの受信への混信を引き起こすことを回避するために、検出時にＵＥ２１５ａとの通信を控え得る。しかしながら、ＢＳ２０５ａが空間ＬＢＴを行うとき、ＢＳ２０５ａは、ＵＥ２１５ｂのＲＲＳまたはＣＴＳ送信に基づいて、ＢＳ２０５ａとＵＥ２１５ｂとの間のクロスリンク２３４の空間方向を検出または識別し得る。いくつかの実施形態では、ＵＥ２１５ｂは、（例えば、ＢＳ２０５ｂの送信から推定される）ＤＬプリコーデッドチャネルと、ＵＥ２１５ｂに関する観測された混信共分散とに基づいて、ＲＲＳまたはＣＴＳ送信をプリコーディングし得る。クロスリンク２３４を介する空間方向を識別した後、ＢＳ２０５ｂは、ＢＳ２０５ａからＵＥ２１５ｂへのクロスリンク２３４を介する空間方向に直交または擬似直交する空間層を識別し得る。従って、ＢＳ２０５ａは、ＵＥ２１５ｂで進行中の送信の受信に著しい混信を導入することなく、識別された空間層を使用してＵＥ２１５ａと通信し得る。
【００３７】
[0046]  ＢＳ２０５ａは、ＵＥ２１５ａと通信する前に、識別された空間層を含む空間サブスペース内の第２のカウントダウンプロセスを行い得る。例えば、第２のカウントダウンプロセスの後、図示されるように、ＢＳ２０５ａは、リンク２３０を介してＵＥ２１５ａと通信するために２つの送信アンテナ２２０を使用し得る。ＢＳ２０５ａは、ＢＳ２０５ａとＵＥ２１５ｂとの間のクロスリンク２３４を介する空間方向に直交または擬似直交する空間方向に送信を向けるようにビームフォーミングを行い得る。従って、ＢＳ２０５ａの送信は、クロスリンク２３４を介するＵＥ２１５ｂへの最小限の混信を引き起こし得る。さらに、ＵＥ２１５ａがクロスリンク２３６を介するＢＳ２０５ｂの進行中の送信から最小限の混信を受け得るように、ＢＳ２０５ａはＵＥ２１５ａへのＤＬ送信をスケジューリングし得る。本明細書でより詳細に説明されるように、２つのカウントダウンプロセスは、同一のコンテンションウィンドウまたは異なるコンテンションウィンドウに基づいて構成され得、互いに依存し、または無関係であり得る。
【００３８】
[0047]  図３は、本開示の実施形態による媒体共有スキーム３００を示す。スキーム３００は、ＢＳ１０５および２０５と、ＵＥ１１５および２１５とによって採用され得る。スキーム３００は空間領域内の媒体共有を示す。例えば、周波数次元３０２および時間次元３０４に加えて、スキーム３００は空間次元３０６を含む。議論を簡単にするために、図３は空間サブスペース３３０内の２つの空間サブスペース３１０および３２０を示すが、本開示の実施形態が空間サブスペース３３０内のより多くの空間サブスペース３１０および３２０にスケーリングし得、空間サブスペースが任意の適切な方式で周波数次元３０２、時間次元３０４、および空間次元３０６内に広がり得ることを理解されよう。空間サブスペース３１０、３２０、および３３０は空間チャネルとも呼ばれることがある。いくつかの実施形態では、空間サブスペース３３０は全方向次元に対応し得る。図示されるように、空間サブスペース３１０および３２０は、相異なる空間次元を有する（例えば、空間次元３０６内の相異なる空間を占有する）。従って、空間サブスペース３１０と３２０との間のクロスチャネル混信は最小限であり、または０であり得る。
【００３９】
[0048]  例えば、ＢＳ２０５ａは、空間サブスペース３３０内で空間ＬＢＴを開始し、空間サブスペース３１０に対応するリンク２３４を介するＢＳ２０５ａとＵＥ２１５ｂとの間のクロスリンクチャネルを検出し得る。検出時に、ＢＳ２０５ａは、第２のサブスペース内で空間ＬＢＴを行うことに切り替わり得る。第２の空間サブスペースは、空間サブスペース３３０の一部であり得るが、ＢＳ２０５ａとＵＥ２１５ｂとの間のクロスリンクによって使用される空間サブスペース３１０を除外する。ＢＳ２０５ａは、ＵＥ２１５ａと通信するための第２の空間サブスペース内の空間サブスペースを選択し得る。例えば、ＢＳ２０５ａは、空間サブスペース３２０がクロスリンクチャネル２３４に直交または擬似直交することを選択し得る。
【００４０】
[0049]  図４は、本開示の実施形態による例示的ＵＥ４００のブロック図である。上記で論じられたように、ＵＥ４００はＵＥ１１５または２１５であり得る。図示されるように、ＵＥ４００は、プロセッサ４０２と、メモリ４０４と、媒体共有モジュール４０８と、モデムサブシステム４１２と無線周波数（ＲＦ）ユニット４１４とを含むトランシーバ４１０と、１つまたは複数のアンテナ４１６とを含み得る。これらの要素は、例えば１つまたは複数のバスを介して、互いに直接的または間接的に通信し得る。
【００４１】
[0050]  プロセッサ４０２は、中央演算処理装置（ＣＰＵ）、デジタル信号プロセッサ（ＤＳＰ）、特定用途向け集積回路（ＡＳＩＣ）、コントローラ、フィールドプログラマブルゲートアレイ（ＦＰＧＡ）デバイス、別のハードウェアデバイス、ファームウェアデバイス、または本明細書で説明される動作を行うように構成されたそれらの任意の組合せを含み得る。プロセッサ４０２はまた、コンピューティングデバイスの組合せ、例えばＤＳＰおよびマイクロプロセッサの組合せ、複数のマイクロプロセッサ、１つもしくは複数のマイクロプロセッサとＤＳＰコア、または任意の他のそのような構成として実施され得る。
【００４２】
[0051]  メモリ４０４は、キャッシュメモリ（例えば、プロセッサ４０２のキャッシュメモリ）、ランダムアクセスメモリ（ＲＡＭ）、磁気抵抗ＲＡＭ（ＭＲＡＭ）、読取り専用メモリ（ＲＯＭ）、プログラマブル読取り専用メモリ（ＰＲＯＭ）、消去可能プログラマブル読取り専用メモリ（ＥＰＲＯＭ）、電気消去可能プログラマブル読取り専用メモリ（ＥＥＰＲＯＭ（登録商標））、フラッシュメモリ、固体メモリデバイス、ハードディスクドライブ、他の形態の揮発性および不揮発性メモリ、または異なるタイプのメモリの組合せを含み得る。一実施形態では、メモリ４０４は非一時的コンピュータ可読媒体を含む。メモリ４０４は命令４０６を記憶し得る。命令４０６は、プロセッサ４０２によって実行されるとき、本開示の実施形態とともにＵＥ２１５を参照して本明細書で説明される動作をプロセッサ４０２に行わせる命令を含み得る。命令４０６はコードとも呼ばれることがある。「命令」および「コード」という用語は、任意のタイプのコンピュータ可読ステートメントを含むように広く解釈されるべきである。例えば、「命令」および「コード」という用語は、１つまたは複数のプログラム、ルーチン、サブルーチン、関数、手順などを指すことがある。「命令」および「コード」は、単一のコンピュータ可読ステートメントまたは多くのコンピュータ可読ステートメントを含み得る。
【００４３】
[0052]  媒体共有モジュール４０８は、ハードウェア、ソフトウェア、またはそれらの組合せを介して実施され得る。例えば、媒体共有モジュール４０８は、プロセッサ、回路、および／またはメモリ４０４内に記憶され、プロセッサ４０２によって実行される命令４０６として実施され得る。媒体共有モジュール４０８は本開示の様々な態様のために使用され得る。例えば、本明細書でより詳細に説明されるように、媒体共有モジュール４０８は、空間ＬＢＴを行い、予約信号を送信および／または受信し、複数の空間次元についてのランダムバックオフカウンタを決定し、並びに／あるいは空間ＬＢＴについての１つもしくは複数のランダムバックオフプロセスを維持するように構成される。
【００４４】
[0053]  図示されるように、トランシーバ４１０は、モデムサブシステム４１２とＲＦユニット４１４とを含み得る。トランシーバ４１０は、ＢＳ１０５および２０５などの他のデバイスと双方向に通信するように構成され得る。モデムサブシステム４１２は、変調およびコーディング方式、例えば低密度パリティチェック（ＬＤＰＣ）コーディングスキーム、ターボコーディングスキーム、畳込みコーディングスキーム、デジタルビームフォーミングスキームなどに従って、メモリ４０４および／または媒体共有モジュール４０８からのデータを変調および／または符号化するように構成され得る。ＲＦユニット４１４は、（アウトバウンド送信時の）モデムサブシステム４１２からの変調／符号化データ、またはＵＥ２１５またはＢＳ２０５などの別のソースから発信される送信の変調／符号化データを処理する（例えば、アナログ−デジタル変換またはデジタル−アナログ変換を行うなど）ように構成され得る。ＲＦユニット４１４は、デジタルビームフォーミングとともにアナログビームフォーミングを行うようにさらに構成され得る。トランシーバ４１０内にともに一体化されるように示されているが、モデムサブシステム４１２およびＲＦユニット４１４は、ＵＥ２１５が他のデバイスと通信することを可能にするようにＵＥ２１５で互いに結合される別々のデバイスであり得る。
【００４５】
[0054]  ＲＦユニット４１４は、１つまたは複数の他のデバイスに送信するために、変調および／または処理済みデータ、例えばデータパケット（または、より一般には、１つまたは複数のデータパケットおよび他の情報を含み得るデータメッセージ）をアンテナ４１６に提供し得る。アンテナ４１６はアンテナ２２０および２２２と同様であり得る。これは、例えば、本開示の実施形態による予約信号、予約応答信号、および／または任意の通信信号の送信を含み得る。アンテナ４１６は、他のデバイスから送信されたデータメッセージをさらに受信し得る。これは、例えば、本開示の実施形態によるｒｅｑｕｅｓｔ−ｔｏ−ｓｅｎｄ（ＲＴＳ）および／またはＣＴＳ信号の受信を含み得る。アンテナ４１６は、トランシーバ４１０での処理および／または復調のために、受信されたデータメッセージを提供し得る。アンテナ４１６は、複数の送信リンクを維持するために、同様の、または相異なる設計の複数のアンテナを含み得る。ＲＦユニット４１４はアンテナ４１６を構成し得る。
【００４６】
[0055]  図５は、本開示の実施形態による例示的ＢＳ５００のブロック図である。上記で論じられたように、ＢＳ５００はＢＳ１０５または２０５であり得る。図示されるように、ＢＳ５００は、プロセッサ５０２と、メモリ５０４と、媒体共有モジュール５０８と、モデムサブシステム５１２とＲＦユニット５１４とを含むトランシーバ５１０と、１つまたは複数のアンテナ５１６とを含み得る。これらの要素は、例えば１つまたは複数のバスを介して、互いに直接的または間接的に通信し得る。
【００４７】
[0056]  プロセッサ５０２は特定のタイプのプロセッサとしての様々な特徴を有し得る。例えば、これらは、ＣＰＵ、ＤＳＰ、ＡＳＩＣ、コントローラ、ＦＰＧＡデバイス、別のハードウェアデバイス、ファームウェアデバイス、または本明細書で説明される動作を行うように構成されたそれらの任意の組合せを含み得る。プロセッサ５０２はまた、コンピューティングデバイスの組合せ、例えばＤＳＰおよびマイクロプロセッサの組合せ、複数のマイクロプロセッサ、１つもしくは複数のマイクロプロセッサとＤＳＰコア、または任意の他のそのような構成として実施され得る。
【００４８】
[0057]  メモリ５０４は、キャッシュメモリ（例えば、プロセッサ５０２のキャッシュメモリ）、ＲＡＭ、ＭＲＡＭ、ＲＯＭ、ＰＲＯＭ、ＥＰＲＯＭ、ＥＥＰＲＯＭ、フラッシュメモリ、固体メモリデバイス、１つもしくは複数のハードディスクドライブ、メモリスタベースのアレイ、他の形態の揮発性および不揮発性メモリ、または異なるタイプのメモリの組合せを含み得る。いくつかの実施形態では、メモリ５０４は非一時的コンピュータ可読媒体を含み得る。メモリ５０４は命令５０６を記憶し得る。命令５０６は、プロセッサ５０２によって実行されるとき、本明細書で説明される動作をプロセッサ５０２に行わせる命令を含み得る。命令５０６はコードとも呼ばれることがあり、図５に関連して上記で論じられたように、コードは、任意のタイプのコンピュータ可読ステートメントを含むように広く解釈され得る。
【００４９】
[0058]  媒体共有モジュール５０８は、ハードウェア、ソフトウェア、またはそれらの組合せを介して実施され得る。例えば、媒体共有モジュール５０８は、プロセッサ、回路、および／またはメモリ４０４内に記憶され、プロセッサ５０２によって実行される命令５０６として実施され得る。媒体共有モジュール５０８は本開示の様々な態様のために使用され得る。例えば、本明細書でより詳細に説明されるように、媒体共有モジュール５０８は、空間ＬＢＴを行い、予約信号を送信および／および受信し、複数の空間次元についてのランダムバックオフカウンタを決定し、並びに／あるいは空間ＬＢＴについての１つもしくは複数のランダムバックオフプロセスを維持するように構成される。
【００５０】
[0059]  図示されるように、トランシーバ５１０は、モデムサブシステム５１２とＲＦユニット５１４とを含み得る。トランシーバ５１０は、ＵＥ１１５および２１５などの他のデバイスおよび／または別のコアネットワーク要素と双方向に通信するように構成され得る。モデムサブシステム５１２は、ＭＣＳ、例えばＬＤＰＣコーディングスキーム、ターボコーディングスキーム、畳込みコーディングスキーム、デジタルビームフォーミングスキームなどに従って、データを変調および／または符号化するように構成され得る。ＲＦユニット５１４は、（アウトバウンド送信時の）モデムサブシステム５１２からの変調／符号化データ、またはＵＥ２１５などの別のソースから発信される送信の変調／符号化データを処理する（例えば、アナログ−デジタル変換またはデジタル−アナログ変換を行うなど）ように構成され得る。ＲＦユニット５１４は、デジタルビームフォーミングとともにアナログビームフォーミングを行うようにさらに構成され得る。トランシーバ５１０内にともに一体化されるように示されているが、モデムサブシステム５１２およびＲＦユニット５１４は、ＢＳ２０５が他のデバイスと通信することを可能にするようにＢＳ２０５で互いに結合される別々のデバイスであり得る。
【００５１】
[0060]  ＲＦユニット５１４は、１つまたは複数の他のデバイスに送信するために、変調および／または処理済みデータ、例えばデータパケット（または、より一般には、１つまたは複数のデータパケットおよび他の情報を含み得るデータメッセージ）をアンテナ５１６に提供し得る。アンテナ５１６はアンテナ２２０および２２２と同様であり得る。これは、例えば、本開示の実施形態による、ネットワークへの接続を完了するための情報の送信と、滞在するＵＥ２１５との通信とを含み得る。アンテナ５１６はさらに、他のデバイスから送信されたデータメッセージを受信し、受信したデータメッセージをトランシーバ５１０での処理および／または復調のために提供し得る。アンテナ５１６は、複数の送信リンクを維持するために、同様の、または相異なる設計の複数のアンテナを含み得る。
【００５２】
[0061]  図６〜図９は、空間ＬＢＴでランダムバックオフを行うための様々な機構を示す。図６および図７は、全ての空間サブスペースについての単一のランダムバックオフプロセスの使用を示す。図８および図９は、複数の空間サブスペースについての複数のランダムバックオフプロセスの使用を示す。図６〜図９では、ｘ軸は、何らかの一定の単位の時刻を表す。ｙ軸は、何らかの一定の単位の周波数を表す。空のボックスは、１対の送信−受信ノード、例えばノードＡと第１の受信側ノードとの間の通信を表し、ノードは、第１の空間サブスペースを介する通信媒体内のＴＸＯＰへのアクセスを首尾よく獲得する。パターンで埋められたボックスは、対送信−受信機ノードの第２の対、例えばノードＢと第２の受信との間の通信を表し、ノードＢは、第１の空間サブスペースを介するＴＸＯＰへのアクセスを獲得し得ないが、第１の空間サブスペース（例えば、第２の空間サブスペース）の一部へのアクセスを獲得し得る。破線のボックスはノードＢによる検出を表す。例えば、ノードＡ、第１の受信側ノード、ノードＢ、および第２の受信側ノードは、ネットワーク２００内のそれぞれＢＳ２０５ｂ、ＵＥ２１５ｂ、ＢＳ２０５ａ、およびＵＥ２１５ａに対応し得る。第１の受信側ノードおよび第２の受信側ノードは、図を簡単にするために図示されていない。
【００５３】
[0062]  図６は、本開示の実施形態による、複数の空間次元について単一のランダムバックオフプロセスを使用するランダムバックオフスキーム６００を示す。スキーム６００は、ＢＳ１０５、２０５、および５００と、ＵＥ１１５、２１５、および４００とによって採用され得る。スキーム６００では、ノードＡおよびノードＢが、周波数スペクトル６０１内のＴＸＯＰ６０２を求めて競合し得る。ランダムバックオフのために、ノードＡはカウンタＡを使用し得、ノードＢはカウンタＢを使用し得る。カウンタＡおよびカウンタＢは、ハードウェアおよび／またはソフトウェアカウンタおよび／またはタイマを含み得る。カウンタＡおよびＢがカウントダウンカウンタの文脈で説明されるが、いくつかの他の実施形態で、代替として、カウンタＡおよび／またはＢは、類似の機能を達成するためにカウントアップカウンタとなるように構成され得る。
【００５４】
[0063]  Ｔ０と表される時刻６７０で、ノードＡは、Ｗ１と表される空間サブスペース６６０内で競合するために、Ｎａ1と表されるランダムバックオフ値６４０を選択し、値６４０でカウンタＡを初期化する。同様に、ノードＢは、空間サブスペース６６０内で競合するために、Ｎｂ1と表されるランダムバックオフ値６５０を選択し、値６５０でカウンタＢを初期化する。ノードＡおよび／またはノードＢは、混信測定値に基づいて空間サブスペース４６０を選択し得る。いくつかの実施形態では、空間サブスペース６６０は全方向空間（例えば、空間サブスペース３３０）に対応し得る。ノードＡは、例えば１からコンテンションウィンドウサイズの間の間隔でユニフォームディストリビュータから値を引き出すことによって、コンテンションウィンドウサイズに基づいて値６４０を選択し得る。ノードＢは、値６５０を選択するために類似の機構を使用し得る。ノードＡおよびノードＢは、（例えば、ＲＲＣ構成によって提供され、またはトラフィックのサービス品質（ＱｏＳ）に適合する）同一の初期コンテンションウィンドウサイズから開始し得るが、本明細書でより詳細に説明されるように、それぞれ独立してコンテンションウィンドウサイズを更新し得る。
【００５５】
[0064]  Ｔ１と表される時刻６７２で、カウンタＡは完了までカウントする（例えば、０までカウントダウンする）。従って、ノードＡは、第１の受信側ノードとの通信のためにＴＸＯＰ６０２を予約する予約要求信号６１０を送信する。予約要求信号６１０はｒｅｑｕｅｓｔ−ｔｏ−ｓｅｎｄ（ＲＴＳ）信号であり得る。予約要求信号６１０は所定の信号シーケンスおよび／またはスケジューリング情報を含み得る。スケジューリング情報は、通信を求めて要求された空間サブスペース（例えば、空間サブスペース３１０などのいくつかの空間層または空間次元）を含み得る。それに応答して、ノードＡは、第１の受信側ノードから予約応答信号６１２を受信する。予約応答信号６１２はｃｌｅａｒ−ｔｏ−ｓｅｎｄ（ＣＴＳ）信号であり得る。予約要求信号６１０および／または予約応答信号６１２は、ＴＸＯＰ６０２での後続の通信（例えば、データ信号６１４）のために使用される空間サブスペースに従って通信され得る。予約応答信号６１２を受信した後、ノードＡは、要求または予約された空間サブスペース内で第１の受信側ノードにデータ信号６１４を送信する。
【００５６】
[0065]  空間サブスペース６６０内の進行中の送信（例えば、予約要求信号６１０および／または予約応答信号６１２）を検出したとき、ノードＢは、空間サブスペース６６０、例えばＷ２として示される空間サブスペース６６２のサブスペース内で競合することに切り替わり、カウントダウンを続行し得る。図示されるように、ノードＢがノードＡの進行中の送信を検出したとき（例えば、時刻６７２）、カウンタＢはＮ１と表される値６５２に達する。
【００５７】
[0066]  Ｔ２と表される時刻６７４で、予約応答信号６１２を受信した後、ノードＢは、空間サブスペース６６２内のランダムバックオフのために値６５２からカウントを続行するようにカウンタＢを構成する。
【００５８】
[0067]  いくつかの実施形態では、ノードＢは、予約要求信号６１０および／または予約応答信号６１２内の事前決定するシーケンスに基づいて、エネルギー検出および／または信号検出に基づく進行中の送信を検出し得る。ノードＢは、進行中の送信の受信に基づいて、進行中の送信によって占有された空間サブスペースを決定し得る。ノードＢは、占有された空間サブスペースを空間サブスペース６６０から除外することによって、空間サブスペース６６２を決定し得る。
【００５９】
[0068]  Ｔ３と示される時刻６７６で、ＴＸＯＰ６０２の終了前に、カウンタＢは完了までカウントする（例えば、値０に達する）。空間サブスペース６６２内で検出された進行中の送信がないので、ノードＢは、第２の受信側ノードとの通信のためにＴＸＯＰ６０２内の期間６０４を予約するために、予約要求信号６２０を送信することに進み得る。ノードＢは、第２の受信側ノードと通信するために空間サブスペース６６２内の空間サブスペース（例えば、空間チャネル３２０）を選択し得る。それに応答して、ノードＢは、第２の受信側ノードから予約応答信号６２２を受信する。予約要求信号６２０および予約応答信号６２２は、それぞれ予約要求信号６１０および予約応答信号６１２と実質的に同様であり得るが、異なる空間サブスペース内で通信され、および／または異なる空間情報を搬送し得る。予約応答信号６２２を受信した後、ノードＢは、決定された空間サブスペースを使用して、第２の受信側ノードにデータ信号６２４を送信する。スキーム６００では、送信−受信または受信−送信切替えがあるとき、時間ギャップ６３８が存在する。時間ギャップ６３８は、ノードが受信と送信の間で切り替わるための時間を可能にする。
【００６０】
[0069]  ＴＸＯＰ６０２の終わりに、例えばＴ４と示される時刻６７８で、ノードＡおよびノードＢは、空間サブスペース６６０内で空間ＬＢＴを行うことに戻り得る。ノードＡおよびノードＢはそれぞれ、空間サブスペース６６０を介して次のＴＸＯＰで競合するための新しいランダム値を選択し得る。例えば、ノードＡは、Ｎａ2と表されるランダムバックオフ値６４２を選択し、ノードＢは、Ｎｂ2と表されるランダムバックオフ値６５２を選択する。ノードＡはカウンタＡに値６４２を割り当て得る。ノードＢはカウンタＢに値６５２を割り当て得る。
【００６１】
[0070]  いくつかの実施形態では、空間サブスペース切替えがＴＸＯＰ６０２内で複数回反復され得る。例えば、ノードＢは、ＴＸＯＰ６０２の間に空間サブスペース６６２内の進行中の送信を検出し得、従って空間ＬＢＴを空間サブスペース６６２のサブスペースに切り替え得る。いくつかの実施形態では、空間サブスペースが空間次元において縮小するので、ノードＢは送信電力レベルを削減し得る。例えば、ノードＢは、空間サブスペース６６２内で、空間サブスペース６６０よりも低い送信電力レベルで送信し得る。
【００６２】
[0071]  図７は、本開示の実施形態による、複数の空間次元について単一のランダムバックオフプロセスを使用するランダムバックオフスキーム７００を示す。スキーム７００は、ＢＳ１０５、２０５、および５００と、ＵＥ１１５、２１５、および４００とによって採用され得る。スキーム７００はスキーム６００と同様であるが、ＴＸＯＰ６０２の終わりにカウンタＢが完了までカウントしていないときのシナリオを示す。図示されるように、時刻６７８で、カウンタＢは、Ｎ２と表される非ゼロ値７５６を有する。ノードＢは現ＴＸＯＰ６０２の間にどんな空間サブスペースへのアクセスも獲得しなかったので、ノードＢは、後続のＴＸＯＰを求めて競合する前に、ランダムバックオフについて値７５６からカウントすることを続行するようにカウンタＢを構成し得る。
【００６３】
[0072]  スキーム６００および７００からわかるように、ノードが空間サブスペースのいずれか１つを介して現ＴＸＯＰでチャネルアクセスを獲得したとき、ノードは、後続のＴＸＯＰを競合するための新しいランダムバックオフ値を選択し、または再引出しし得る。逆に、ノードがどんな空間サブスペースを介しても現ＴＸＯＰでチャネルアクセスを獲得できないとき、ノードは、後続のＴＸＯＰを競合するためにカウントすることを続行または再開し得る。
【００６４】
[0073]  図８は、本開示の実施形態による、複数の空間次元について複数のランダムバックオフプロセスを使用するランダムバックオフスキーム８００を示す。スキーム８００は、ＢＳ１０５、２０５、および５００と、ＵＥ１１５、２１５、および４００とによって採用され得る。スキーム８００はスキーム６００と類似のシナリオを示す。しかしながら、スキーム８００は、異なる空間サブスペース内で競合することに切り替わるとき、別々のランダムバックオフプロセスを使用する。図示されるように、時刻６７４で、空間サブスペース６６０内の進行中の送信を検出したとき、ノードＢは、空間サブスペース６６２内で競合することに切り替わる。ノードＢは、空間サブスペース６６０について使用されたカウンタＢのカウンタ値に基づいてカウンタＢを構成する。例えば、ノードＢは、値６５２からカウントすることを続行するようにカウンタＢを構成する。ノードＢは、空間サブスペース６６０内のカウントからのカウンタ値６５２を次のＴＸＯＰのために保存し得る。空間サブスペース６６０内のランダムバックオフカウントは親バックオフプロセスと呼ばれることがあり、空間サブスペース６６２（例えば、空間サブスペース６６０のサブスペース）内のランダムバックオフカウントは子バックオフプロセスと呼ばれることがある。
【００６５】
[0074]  スキームと同様に、時刻６７６で、ＴＸＯＰ６０２の終わり前にカウンタＢが完了までカウントし、または値０に達したとき、ノードＢは、ＴＸＯＰ６０２内の期間６０４で第２の受信側ノードと通信し得る。
【００６６】
[0075]  時刻６７８で、ノードＡおよびノードＢは、空間サブスペース６６０内で空間ＬＢＴを行うことに戻り得る。ノードＡは、後続のＴＸＯＰで競合するために新しいランダム値（例えば、値６４２）を選択し得る。ノードＢは、親バックオフプロセスからのカウンタＢの最後の値６５２を復元し、後続のＴＸＯＰを求める競合するために値６５２からカウントするようにカウンタＢを構成し得る。
【００６７】
[0076]  スキーム８００では、ノードが、進行中の送信の上に重ね合わせることなく現ＴＸＯＰでチャネルアクセスを獲得するとき、ノードは、後続のＴＸＯＰを競合するための新しいランダムバックオフ値を選択し、または再引出しし得る。逆に、ノードが、進行中の送信の上に重ね合わせることなく現ＴＸＯＰでチャネルアクセスを獲得できないとき、ノードは、後続のＴＸＯＰを競合するために親バックオフプロセスからのカウントを再開し得る。
【００６８】
[0077]  図９は、本開示の実施形態による、複数の空間次元について複数のランダムバックオフプロセスを使用するランダムバックオフスキーム９００を示す。スキーム９００は、ＢＳ１０５、２０５、および５００と、ＵＥ１１５、２１５、および４００とによって採用され得る。スキーム９００はスキーム８００と実質的に同様である。例えば、スキーム９００は、異なる空間サブスペース内で競合することに切り替わるとき、別々のランダムバックオフプロセスを使用する。しかしながら、スキーム９００では、ノードが空間サブスペースに切り替わったとき、例えば空間サブスペース６６０から空間サブスペース６６２に切り替わったとき、ノードは、新しいランダムバックオフ値を選択し、または再引出しし得る。
【００６９】
[0078]  スキーム９００では、ノードＢは、空間サブスペース６６０内のランダムバックオフ（例えば、親バックオフプロセス）のためのカウンタＢと、空間サブスペース６６２内のランダムバックオフ（例えば、子バックオフプロセス）のためのカウンタＢＢという２つのカウンタを使用し得る。ノードＢは、スキーム７００と類似の機構を使用して、親バックオフプロセスのためのカウンタＢを構成し得る。
【００７０】
[0079]  空間サブスペース６６２内の子バックオフプロセスについて、ノードＢは、例えばコンテンションウィンドウに基づいて、Ｎ３と示される新しいランダムバックオフ値９５４を選択し、カウンタＢＢを値８５４に初期化する。ＴＸＯＰ６０２の終了前に、カウンタＢＢが完了までカウントし、または値０に達したとき、ノードＢは、スキーム８００と類似のＴＸＯＰ６０２内の期間６０４で第２の受信側ノードと通信し得る。
【００７１】
[0080]  議論を簡単にするために、スキーム８００および９００は１つの親バックオフプロセスと１つの子バックオフプロセスとを示すが、スキーム８００および９００は、複数のレベルの子バックオフプロセスを含み得る。例えば、ノードＢが空間サブスペース６６２内の進行中の送信を検出したとき、ノードＢは、空間ＬＢＴを空間サブスペース６６２のサブスペースに切り替え得る。
【００７２】
[0081]  いくつかの実施形態では、コンテンションウィンドウサイズは、ＲＲＣ構成によって最初に構成され得、またはトラフィックのＱｏＳに基づいて最初に設定され得、その後で、送信誤り率に基づいて更新され得る。一実施形態では、ノード（例えば、ノードＡまたはノードＢ）が、１つまたは複数の空間サブスペース（例えば、空間サブスペース６６０および６６２）内の送信誤り率に基づいて、コンテンションウィンドウサイズを更新し得る。
【００７３】
[0082]  一実施形態では、ノードがスキーム９００を採用するとき、ノードは、全ての空間サブスペースについて同一のコンテンションウィンドウサイズを使用し、空間サブスペースのうちの１つまたは複数の中の送信誤り率に基づいてコンテンションウィンドウサイズを更新し得る。別の実施形態では、ノードがスキーム９００を採用するとき、ノードは、異なる空間サブスペースについて異なるコンテンションウィンドウサイズを使用し、対応する空間サブスペース内の送信誤り率に基づいて各コンテンションウィンドウサイズを更新し得る。例えば、ノードＢは、空間サブスペース６６０および６６２について、それぞれ第１のコンテンションウィンドウサイズと第２のコンテンションウィンドウサイズとを使用し得る。ノードＢは、空間サブスペース６６０および６６２内の送信誤り率に基づいて、それぞれ第１のコンテンションウィンドウサイズと第２のコンテンションウィンドウサイズとを更新し得る。
【００７４】
[0083]  いくつかの実施形態では、ノードが現空間サブスペース内の進行中の送信（例えば、予約要求信号６１０および／または予約応答信号６１２）を検出したとき、またはノードによって維持されるネットワーク割振りベクトル（ＮＡＶ）が満了したとき、ノードは、空間ＬＢＴを異なる空間サブスペースに切り替え得る。ＮＡＶは、現在の進行中の送信がチャネルを占有し得る時間量を示し得る。
【００７５】
[0084]  図１０は、本開示の実施形態による、空間領域内の媒体共有のためのランダムバックオフ方法の流れ図である。方法１０００のステップは、ＢＳ１０５、２０５、および５００、並びにＵＥ１１５、２１５、および４００などのワイヤレス通信デバイスのコンピューティングデバイス（例えば、プロセッサ、処理回路、および／または他の適切な構成要素）によって実行され得る。方法１０００は、それぞれ図６、図７、図８、および図９に関連して説明されたスキーム６００、７００、８００、および９００と類似の機構を採用し得る。図示されるように、方法１０００は、いくつかの列挙されるステップを含むが、方法１０００の実施形態は、列挙されるステップの前、後、および列挙されるステップの間に追加のステップを含み得る。いくつかの実施形態では、列挙されるステップのうちの１つもしくは複数が省略され、または異なる順序で行われ得る。一実施形態では、ワイヤレス通信デバイスはノードＢに対応し得る。
【００７６】
[0085]  ステップ１０１０で、方法１０００は、第１の空間サブスペース（例えば、空間サブスペース３１０、３２０、および３３０）を介する通信媒体（例えば、周波数スペクトル６０１）内のＴＸＯＰ（例えば、ＴＸＯＰ６０２）を求める競合するための第１のバックオフカウンタ（例えば、値６５０）を決定することを含む。
【００７７】
[0086]  ステップ１０２０で、方法１０００は、第１の空間サブスペース内のＴＸＯＰでの送信（例えば、予約要求信号６１０および／または予約応答信号６１２）を検出することを含む。
【００７８】
[0087]  ステップ１０３０で、方法１０００は、検出に基づいて、第１の空間サブスペースとは異なる第２の空間サブスペースを介するＴＸＯＰを求めて競合するための第２のバックオフカウンタ（例えば、値６５２および９５４）を決定することを含む。第２の空間サブスペースは第１の空間サブスペースの一部であり得る。検出された送信は、第２の空間サブスペースとは異なる空間サブスペース内であり得る。例えば、第１の空間サブスペースが空間サブスペース３３０に対応し、送信が空間サブスペース３１０内で検出されたとき、第２の空間サブスペースは、空間サブスペース３１０を除外する空間サブスペース３３０に対応し得る。
【００７９】
[0088]  一実施形態では、ワイヤレス通信デバイスは、送信が検出されたときの第１のバックオフカウンタの値（例えば、値６５２）を第２のバックオフカウンタに割り当て得る。第２のバックオフカウンタがＴＸＯＰ内で完了までカウントするとき、ワイヤレス通信デバイスは、第２の空間サブスペース内の通信信号を第２のワイヤレス通信デバイスに送信し得る。ワイヤレス通信デバイスは、スキーム６００で示されたようなコンテンションウィンドウに基づいて、第１の空間サブスペースを介する通信媒体内の後続のＴＸＯＰを求めて競合するための第３のバックオフカウンタ（例えば、値６５４）を決定し得る。代替として、第２のバックオフカウンタがＴＸＯＰの終わりに完了までカウントしていないとき、ワイヤレス通信デバイスは、スキーム７００で示されたような第１の空間サブスペースを介する通信媒体内の後続のＴＸＯＰを求めて競合するための第３のバックオフカウンタに、第２のバックオフカウンタの値（例えば、値６５６）を割り当て得る。
【００８０】
[0089]  一実施形態では、ワイヤレス通信デバイスは、第１のコンテンションウィンドウに基づいて第１のバックオフカウンタを決定し、第１の空間サブスペース内の送信誤り率または第２の空間サブスペース内の送信誤り率のうちの少なくとも一方に基づいて、第１のコンテンションウィンドウを更新し得る。
【００８１】
[0090]  一実施形態では、ワイヤレス通信デバイスは、第１のコンテンションウィンドウに基づいて第１のバックオフカウンタを決定し、第２のコンテンションウィンドウに基づいて第２のバックオフカウンタを決定し得る。第１のコンテンションウィンドウおよび第２のコンテンションウィンドウは、同一のウィンドウサイズまたは異なるウィンドウサイズを有し得る。ワイヤレス通信デバイスは、第１の空間サブスペース内の送信誤り率に基づいて第１のコンテンションウィンドウを更新し、第２の空間サブスペース内の送信誤り率に基づいて第２のコンテンションウィンドウを更新し得る。
【００８２】
[0091]  情報および信号は、様々な異なる技術および技法のいずれかを使用して表現され得る。例えば、上記の説明全体にわたって参照され得るデータ、命令、コマンド、情報、信号、ビット、シンボル、およびチップは、電圧、電流、電磁波、磁場もしくは粒子、光場もしくは粒子、またはそれらの任意の組合せによって表現され得る。
【００８３】
[0092]  本明細書の開示とともに説明される様々な例示的ブロックおよびモジュールは、本明細書で説明される機能を行うように設計された、汎用プロセッサ、ＤＳＰ、ＡＳＩＣ、ＦＰＧＡ、もしくは他のプログラマブル論理デバイス、ディスクリートゲートもしくはトランジスタロジック、ディスクリートハードウェア構成要素、またはそれらの任意の組合せで実施または行われ得る。汎用プロセッサはマイクロプロセッサであり得るが、代替として、プロセッサは任意の従来型プロセッサ、コントローラ、マイクロコントローラ、または状態機械であり得る。プロセッサはまた、コンピューティングデバイスの組合せ（例えば、ＤＳＰおよびマイクロプロセッサの組合せ、複数のマイクロプロセッサ、１つもしくは複数のマイクロプロセッサとＤＳＰコア、または任意の他のそのような構成）として実施され得る。
【００８４】
[0093]  本明細書で説明される機能は、ハードウェア、プロセッサによって実行されるソフトウェア、ファームウェア、またはそれらの任意の組合せで実施され得る。プロセッサによって実行されるソフトウェアで実施される場合、機能は、１つまたは複数の命令もしくはコードとしてコンピュータ可読媒体上に記憶され、またはコンピュータ可読媒体を介して送信され得る。他の例および実施は本開示および添付の特許請求の範囲内にある。例えば、ソフトウェアの性質のために、前述の機能は、プロセッサによって実行されるソフトウェア、ハードウェア、ファームウェア、ハードワイヤリング、またはこれらの任意の組合せを使用して実施され得る。機能を実施する特徴はまた、機能の部分が様々な物理的位置で実施されるように分散されることを含めて、様々な位置に物理的に配置され得る。さらに、本明細書では、特許請求の範囲を含めて、項目のリスト（例えば、「のうちの少なくとも１つ」または「のうちの１つまたは複数」などの語句が後に続く項目のリスト）内で使用される「または」は包含的リストを示し、従って、例えば、リスト［Ａ、Ｂ、またはＣのうちの少なくとも１つ］は、ＡまたはＢまたはＣまたはＡＢまたはＡＣまたはＢＣまたはＡＢＣ（すなわち、ＡおよびＢおよびＣ）を意味する。
【００８５】
[0094]  本開示の別の実施形態は、第１のワイヤレス通信デバイスによって、第１の空間サブスペースを介する通信媒体内の送信機会（ＴＸＯＰ）を求めて競合するための第１のバックオフカウンタを決定することと、第１のワイヤレス通信デバイスによって、第１の空間サブスペース内のＴＸＯＰでの送信を検出することと、検出に基づいて、第１のワイヤレス通信デバイスによって、第１の空間サブスペースとは異なる第２の空間サブスペースを介するＴＸＯＰを求めて競合するための第２のバックオフカウンタを決定することとを備えるワイヤレス通信の方法を含む。
【００８６】
[0095]  いくつかの実施形態では、第２の空間サブスペースは第１の空間サブスペースの部分であり、検出された送信は、第２の空間サブスペースとは異なる空間サブスペース内にある。いくつかの実施形態では、方法は、第２のバックオフカウンタがＴＸＯＰ内で完了までカウントしたとき、第１のワイヤレス通信デバイスによって、第２の空間サブスペース内の通信信号を第２のワイヤレス通信デバイスに送信することと、第１のワイヤレス通信デバイスによって、コンテンションウィンドウに基づいて、第１の空間サブスペースを介する通信媒体内の後続のＴＸＯＰを求めて競合するための第３のバックオフカウンタを決定することとをさらに備える。いくつかの実施形態では、第２のバックオフカウンタを決定することは、送信が検出されたときの第１のバックオフカウンタの値を第２のバックオフカウンタに割り当てることを含む。いくつかの実施形態では、第２のバックオフカウンタはＴＸＯＰの終わりに完了までカウントしておらず、方法は、第１のワイヤレス通信デバイスによって、第１の空間サブスペースを介する通信媒体内の後続のＴＸＯＰを求めて競合するための第３のバックオフカウンタに第２のバックオフカウンタの値を割り当てることをさらに備える。いくつかの実施形態では、第１のバックオフカウンタを決定することは、第１のコンテンションウィンドウに基づく。いくつかの実施形態では、方法は、第１のワイヤレス通信デバイスによって、第１の空間サブスペース内の送信誤り率と第２の空間サブスペース内の送信誤り率のうちの少なくとも一方に基づいて、第１のコンテンションウィンドウを更新することをさらに備える。いくつかの実施形態では、第２のバックオフカウンタを決定することは、第２のコンテンションウィンドウに基づく。いくつかの実施形態では、第１のコンテンションウィンドウと第２のコンテンションウィンドウとは異なる。いくつかの実施形態では、方法は、第１のワイヤレス通信デバイスによって、第１の空間サブスペース内の送信誤り率に基づいて、第１のコンテンションウィンドウを更新することと、第１のワイヤレス通信デバイスによって、第２の空間サブスペース内の送信誤り率に基づいて、第２のコンテンションウィンドウを更新することとをさらに備える。いくつかの実施形態では、方法は、第１のワイヤレス通信デバイスによって、第１の空間サブスペースを介する通信媒体内の次のＴＸＯＰを求めて競合するための第３のバックオフカウンタに、送信が検出されたときの第１のバックオフカウンタの値を割り当てることをさらに備える。
【００８７】
[0096]  本開示の別の実施形態は、第１の空間サブスペースを介する通信媒体内の送信機会（ＴＸＯＰ）を求めて競合するための第１のバックオフカウンタを決定し、第１の空間サブスペース内のＴＸＯＰでの送信を検出し、検出に基づいて、第１の空間サブスペースとは異なる第２の空間サブスペースを介するＴＸＯＰを求めて競合するための第２のバックオフカウンタを決定するように構成されたプロセッサを備える装置を含む。
【００８８】
[0097]  いくつかの実施形態では、第２の空間サブスペースは第１の空間サブスペースの部分であり、検出された送信は、第２の空間サブスペースとは異なる空間サブスペース内にある。いくつかの実施形態では、装置は、第２のバックオフカウンタがＴＸＯＰ内で完了までカウントしたとき、第２の空間サブスペース内の通信信号を第２のワイヤレス通信デバイスに送信するように構成されたトランシーバをさらに備え、プロセッサが、コンテンションウィンドウに基づいて、第１の空間サブスペースを介する通信媒体内の後続のＴＸＯＰを求めて競合するための第３のバックオフカウンタを決定するようにさらに構成される。いくつかの実施形態では、プロセッサが、送信が検出されたときの第１のバックオフカウンタの値を第２のバックオフカウンタに割り当てることによって、第２のバックオフカウンタを決定するようにさらに構成される。いくつかの実施形態では、第２のバックオフカウンタはＴＸＯＰの終わりに完了までカウントしておらず、プロセッサが、第１の空間サブスペースを介する通信媒体内の後続のＴＸＯＰを求めて競合するための第３のバックオフカウンタに、第２のバックオフカウンタの値を割り当てるようにさらに構成される。いくつかの実施形態では、プロセッサが、第１のバックオフカウンタが第１のコンテンションウィンドウに基づくことを決定するようにさらに構成される。いくつかの実施形態では、プロセッサが、第１の空間サブスペース内の送信誤り率と第２の空間サブスペース内の送信誤り率のうちの少なくとも一方に基づいて、第１のコンテンションウィンドウを更新するようにさらに構成される。いくつかの実施形態では、プロセッサが、第２のコンテンションウィンドウに基づいて第２のバックオフカウンタを決定するようにさらに構成される。いくつかの実施形態では、第１のコンテンションウィンドウと第２のコンテンションウィンドウとは異なる。いくつかの実施形態では、プロセッサが、第１の空間サブスペース内の送信誤り率に基づいて、第１のコンテンションウィンドウを更新し、第２の空間サブスペース内の送信誤り率に基づいて、第２のコンテンションウィンドウを更新するようにさらに構成される。いくつかの実施形態では、プロセッサが、第１の空間サブスペースを介する通信媒体内の次のＴＸＯＰを求めて競合するための第３のバックオフカウンタに、送信が検出されたときの第１のバックオフカウンタの値を割り当てるようにさらに構成される。
【００８９】
[0098]  本開示の別の実施形態は、プログラムコードを記録したコンピュータ可読媒体を含み、プログラムコードは、第１の空間サブスペースを介する通信媒体内の送信機会（ＴＸＯＰ）を求めて競合するための第１のバックオフカウンタを第１のワイヤレス通信デバイスに決定させるためのコードと、第１の空間サブスペース内のＴＸＯＰでの送信を第１のワイヤレス通信デバイスに検出させるためのコードと、検出に基づいて、第１の空間サブスペースとは異なる第２の空間サブスペースを介するＴＸＯＰを求めて競合するための第２のバックオフカウンタを第１のワイヤレス通信デバイスに決定させるためのコードとを備える。
【００９０】
[0099]  いくつかの実施形態では、第２の空間サブスペースは第１の空間サブスペースの部分であり、検出された送信は、第２の空間サブスペースとは異なる空間サブスペース内にある。いくつかの実施形態では、コンピュータ可読媒体は、第２のバックオフカウンタがＴＸＯＰ内で完了までカウントしたとき、第１のワイヤレス通信デバイスに、第２の空間サブスペース内の通信信号を第２のワイヤレス通信デバイスに送信させるためのコードと、コンテンションウィンドウに基づいて、第１の空間サブスペースを介する通信媒体内の後続のＴＸＯＰを求めて競合するための第３のバックオフカウンタを第１のワイヤレス通信デバイスに決定させるコードとをさらに備える。いくつかの実施形態では、第１のワイヤレス通信デバイスに第２のバックオフカウンタを決定させるためのコードが、送信が検出されたときの第１のバックオフカウンタの値を第２のバックオフカウンタに割り当てるようにさらに構成される。いくつかの実施形態では、第２のバックオフカウンタはＴＸＯＰの終わりに完了までカウントしておらず、コンピュータ可読媒体は、第１のワイヤレス通信デバイスに、第１の空間サブスペースを介する通信媒体内の後続のＴＸＯＰを求めて競合するための第３のバックオフカウンタに第２のバックオフカウンタの値を割り当てさせるコードをさらに備える。いくつかの実施形態では、第１のワイヤレス通信デバイスに第１のバックオフカウンタを決定させるためのコードが、第１のコンテンションウィンドウに基づいて第１のバックオフカウンタを決定するようにさらに構成される。いくつかの実施形態では、コンピュータ可読媒体は、第１のワイヤレス通信デバイスに、第１の空間サブスペース内の送信誤り率と第２の空間サブスペース内の送信誤り率のうちの少なくとも一方に基づいて、第１のコンテンションウィンドウを更新させるためのコードをさらに備える。いくつかの実施形態では、第１のワイヤレス通信デバイスに第２のバックオフカウンタを決定させるためのコードが、第２のコンテンションウィンドウに基づいて第２のバックオフカウンタを決定するようにさらに構成される。いくつかの実施形態では、第１のコンテンションウィンドウと第２のコンテンションウィンドウとは異なる。いくつかの実施形態では、コンピュータ可読媒体は、第１のワイヤレス通信デバイスに、第１の空間サブスペース内の送信誤り率に基づいて、第１のコンテンションウィンドウを更新させるためのコードと、第１のワイヤレス通信デバイスに、第２の空間サブスペース内の送信誤り率に基づいて、第２のコンテンションウィンドウを更新させるためのコードとをさらに備える。いくつかの実施形態では、コンピュータ可読媒体は、第１のワイヤレス通信デバイスに、第１の空間サブスペースを介する通信媒体内の次のＴＸＯＰを求めて競合するための第３のバックオフカウンタに送信が検出されたときの第１のバックオフカウンタの値を割り当てさせるためのコードをさらに備える。
【００９１】
[0100]  本開示の別の実施形態は、第１の空間サブスペースを介する通信媒体内の送信機会（ＴＸＯＰ）を求めて競合するための第１のバックオフカウンタを決定するための手段と、第１の空間サブスペース内のＴＸＯＰでの送信を検出するための手段と、検出に基づいて、第１の空間サブスペースとは異なる第２の空間サブスペースを介するＴＸＯＰを求めて競合するための第２のバックオフカウンタを決定するための手段とを備える装置を含む。
【００９２】
[0101]  いくつかの実施形態では、第２の空間サブスペースは第１の空間サブスペースの部分であり、検出された送信は、第２の空間サブスペースとは異なる空間サブスペース内にある。いくつかの実施形態では、装置は、第２のバックオフカウンタがＴＸＯＰ内で完了までカウントしたとき、第２の空間サブスペース内の通信信号を第２のワイヤレス通信デバイスに送信するための手段と、コンテンションウィンドウに基づいて、第１の空間サブスペースを介する通信媒体内の後続のＴＸＯＰを求めて競合するための第３のバックオフカウンタを決定するための手段とをさらに備える。いくつかの実施形態では、第２のバックオフカウンタを決定するための手段が、送信が検出されたときの第１のバックオフカウンタの値を第２のバックオフカウンタに割り当てるようにさらに構成される。いくつかの実施形態では、第２のバックオフカウンタはＴＸＯＰの終わりに完了までカウントしておらず、装置は、第１の空間サブスペースを介する通信媒体内の後続のＴＸＯＰを求めて競合するための第３のバックオフカウンタに、第２のバックオフカウンタの値を割り当てるための手段をさらに備える。いくつかの実施形態では、第１のバックオフカウンタを決定するための手段が、第１のコンテンションウィンドウに基づいて第１のバックオフカウンタを決定するようにさらに構成される。いくつかの実施形態では、装置は、第１の空間サブスペース内の送信誤り率と第２の空間サブスペース内の送信誤り率のうちの少なくとも一方に基づいて、第１のコンテンションウィンドウを更新するための手段をさらに備える。いくつかの実施形態では、第２のバックオフカウンタを決定するための手段が、第２のコンテンションウィンドウに基づいて第２のバックオフカウンタを決定するようにさらに構成される。いくつかの実施形態では、第１のコンテンションウィンドウと第２のコンテンションウィンドウとは異なる。いくつかの実施形態では、装置は、第１の空間サブスペース内の送信誤り率に基づいて、第１のコンテンションウィンドウを更新するための手段と、第２の空間サブスペース内の送信誤り率に基づいて、第２のコンテンションウィンドウを更新するための手段とをさらに備える。いくつかの実施形態では、装置は、第１の空間サブスペースを介する通信媒体内の次のＴＸＯＰを求めて競合するための第３のバックオフカウンタに、送信が検出されたときの第１のバックオフカウンタの値を割り当てるための手段をさらに備える。
【００９３】
[0102]  本開示の精神および範囲から逸脱することなく、手元の特定の適用分野に応じて、本開示のデバイスの材料、装置、構成、および使用の方法において、並びにそれに対して、多くの修正、置換、および変形が行われ得ることを当業者は今や理解されよう。これに照らして、本明細書で図示され、説明された特定の実施形態は本開示のいくつかの例に過ぎないので、本開示の範囲は、それらに限定されるべきではなく、むしろ、以下に添付される特許請求の範囲およびその機能的均等物に完全に対応すべきである。
以下に本願の出願当初の特許請求の範囲に記載された発明を付記する。
[Ｃ１]  ワイヤレス通信の方法であって、
第１のワイヤレス通信デバイスによって、第１の空間サブスペースを介する通信媒体内の送信機会（ＴＸＯＰ）を求めて競合するための第１のバックオフカウンタを決定することと、
前記第１のワイヤレス通信デバイスによって、前記第１の空間サブスペース内の前記ＴＸＯＰでの送信を検出することと、
前記検出に基づいて、前記第１のワイヤレス通信デバイスによって、前記第１の空間サブスペースとは異なる第２の空間サブスペースを介する前記ＴＸＯＰを求めて競合するための第２のバックオフカウンタを決定することとを備える方法。
[Ｃ２]  前記第２の空間サブスペースが前記第１の空間サブスペースの部分であり、前記検出された送信が、前記第２の空間サブスペースとは異なる空間サブスペース内にある、Ｃ１に記載の方法。
[Ｃ３]  前記第２のバックオフカウンタが前記ＴＸＯＰ内で完了までカウントしたとき、前記第１のワイヤレス通信デバイスによって、前記第２の空間サブスペース内の通信信号を第２のワイヤレス通信デバイスに送信することと、
前記第１のワイヤレス通信デバイスによって、コンテンションウィンドウに基づいて、前記第１の空間サブスペースを介する前記通信媒体内の後続のＴＸＯＰを求めて競合するための第３のバックオフカウンタを決定することとをさらに備える、Ｃ１に記載の方法。
[Ｃ４]  前記第２のバックオフカウンタを決定することが、前記送信が検出されたときの前記第１のバックオフカウンタの値を前記第２のバックオフカウンタに割り当てることを含む、Ｃ１に記載の方法。
[Ｃ５]  前記第２のバックオフカウンタが前記ＴＸＯＰの終わりに完了までカウントしておらず、前記方法が、前記第１のワイヤレス通信デバイスによって、前記第１の空間サブスペースを介する前記通信媒体内の後続のＴＸＯＰを求めて競合するための第３のバックオフカウンタに、前記第２のバックオフカウンタの値を割り当てることをさらに備える、Ｃ１に記載の方法。
[Ｃ６]  前記第１のバックオフカウンタを決定することが、第１のコンテンションウィンドウに基づく、Ｃ１に記載の方法。
[Ｃ７]  前記第１のワイヤレス通信デバイスによって、前記第１の空間サブスペース内の送信誤り率と前記第２の空間サブスペース内の送信誤り率のうちの少なくとも一方に基づいて、前記第１のコンテンションウィンドウを更新することをさらに備える、Ｃ６に記載の方法。
[Ｃ８]  前記第２のバックオフカウンタを決定することが、第２のコンテンションウィンドウに基づく、Ｃ６に記載の方法。
[Ｃ９]  前記第１のコンテンションウィンドウと前記第２のコンテンションウィンドウとが異なる、Ｃ８に記載の方法。
[Ｃ１０]  前記第１のワイヤレス通信デバイスによって、前記第１の空間サブスペース内の送信誤り率に基づいて、前記第１のコンテンションウィンドウを更新することと、
前記第１のワイヤレス通信デバイスによって、前記第２の空間サブスペース内の送信誤り率に基づいて、前記第２のコンテンションウィンドウを更新することとをさらに備える、Ｃ８に記載の方法。
[Ｃ１１]  前記第１のワイヤレス通信デバイスによって、前記第１の空間サブスペースを介する前記通信媒体内の後続のＴＸＯＰを求めて競合するための第３のバックオフカウンタに、前記送信が検出されたときの前記第１のバックオフカウンタの値を割り当てることをさらに備える、Ｃ１に記載の方法。
[Ｃ１２]  第１の空間サブスペースを介する通信媒体内の送信機会（ＴＸＯＰ）を求めて競合するための第１のバックオフカウンタを決定するための手段と、
前記第１の空間サブスペース内の前記ＴＸＯＰでの送信を検出するための手段と、
前記検出に基づいて、前記第１の空間サブスペースとは異なる第２の空間サブスペースを介する前記ＴＸＯＰを求めて競合するための第２のバックオフカウンタを決定するための手段とを備える装置。
[Ｃ１３]  前記第２の空間サブスペースが前記第１の空間サブスペースの部分であり、前記検出された送信が、前記第２の空間サブスペースとは異なる空間サブスペース内にある、Ｃ１２に記載の装置。
[Ｃ１４]  前記第２のバックオフカウンタが前記ＴＸＯＰ内で完了までカウントしたとき、前記第２の空間サブスペース内の通信信号を第２のワイヤレス通信デバイスに送信するための手段と、
コンテンションウィンドウに基づいて、前記第１の空間サブスペースを介する前記通信媒体内の後続のＴＸＯＰを求めて競合するための第３のバックオフカウンタを決定するための手段とをさらに備える、Ｃ１２に記載の装置。
[Ｃ１５]  前記第２のバックオフカウンタを決定するための前記手段が、前記送信が検出されたときの前記第１のバックオフカウンタの値を第２のバックオフカウンタに割り当てるようにさらに構成される、Ｃ１２に記載の装置。
[Ｃ１６]  前記第２のバックオフカウンタが前記ＴＸＯＰの終わりに完了までカウントしておらず、前記プロセッサが、前記第１の空間サブスペースを介する前記通信媒体内の後続のＴＸＯＰを求めて競合するための第３のバックオフカウンタに、前記第２のバックオフカウンタの値を割り当てるようにさらに構成される、Ｃ１２に記載の装置。
[Ｃ１７]  前記第１のバックオフカウンタを決定するための前記手段が、第１のコンテンションウィンドウに基づいて前記第１のバックオフカウンタを決定するようにさらに構成される、Ｃ１２に記載の装置。
[Ｃ１８]  前記第１の空間サブスペース内の送信誤り率と前記第２の空間サブスペース内の送信誤り率のうちの少なくとも一方に基づいて、前記第１のコンテンションウィンドウを更新するための手段をさらに備える、Ｃ１７に記載の装置。
[Ｃ１９]  前記第２のバックオフカウンタを決定するための前記手段が、第２のコンテンションウィンドウに基づいて前記第２のバックオフカウンタを決定するようにさらに構成される、Ｃ１７に記載の装置。
[Ｃ２０]  前記第１のコンテンションウィンドウと前記第２のコンテンションウィンドウとが異なる、Ｃ１９に記載の装置。
[Ｃ２１]  前記第１の空間サブスペース内の送信誤り率に基づいて、前記第１のコンテンションウィンドウを更新するための手段と、
前記第２の空間サブスペース内の送信誤り率に基づいて、前記第２のコンテンションウィンドウを更新するための手段とをさらに備える、Ｃ１９に記載の装置。
[Ｃ２２]  前記第１の空間サブスペースを介する前記通信媒体内の後続のＴＸＯＰを求めて競合するための第３のバックオフカウンタに、前記送信が検出されたときの前記第１のバックオフカウンタの値を割り当てるための手段をさらに備える、Ｃ１２に記載の装置。
[Ｃ２３]  プログラムコードを記録したコンピュータ可読媒体であって、
第１の空間サブスペースを介する通信媒体内の送信機会（ＴＸＯＰ）を求めて競合するための第１のバックオフカウンタを第１のワイヤレス通信デバイスに決定させるためのコードと、
前記第１の空間サブスペース内の前記ＴＸＯＰでの送信を前記第１のワイヤレス通信デバイスに検出させるためのコードと、
前記検出に基づいて、前記第１の空間サブスペースとは異なる第２の空間サブスペースを介する前記ＴＸＯＰを求めて競合するための第２のバックオフカウンタを前記第１のワイヤレス通信デバイスに決定させるためのコードとを備えるプログラムコードを有するコンピュータ可読媒体。
[Ｃ２４]  前記第２の空間サブスペースが前記第１の空間サブスペースの部分であり、前記検出された送信が、前記第２の空間サブスペースとは異なる空間サブスペース内にある、Ｃ２３に記載のコンピュータ可読媒体。
[Ｃ２５]  前記第２のバックオフカウンタが前記ＴＸＯＰ内で完了までカウントしたとき、前記第１のワイヤレス通信デバイスに、前記第２の空間サブスペース内の通信信号を第２のワイヤレス通信デバイスに送信させるためのコードと、
コンテンションウィンドウに基づいて、前記第１の空間サブスペースを介する前記通信媒体内の後続のＴＸＯＰを求めて競合するための第３のバックオフカウンタを前記第１のワイヤレス通信デバイスに決定させるためのコードとをさらに備える、Ｃ２３に記載のコンピュータ可読媒体。
[Ｃ２６]  前記第１のワイヤレス通信デバイスに前記第２のバックオフカウンタを決定させるための前記コードが、前記送信が検出されたときの前記第１のバックオフカウンタの値を前記第２のバックオフカウンタに割り当てるようにさらに構成される、Ｃ２３に記載のコンピュータ可読媒体。
[Ｃ２７]  前記第２のバックオフカウンタが前記ＴＸＯＰの終わりに完了までカウントしておらず、前記コンピュータ可読媒体が、前記第１のワイヤレス通信デバイスに、前記第１の空間サブスペースを介する前記通信媒体内の後続のＴＸＯＰを求めて競合するための第３のバックオフカウンタに前記第２のバックオフカウンタの値を割り当てさせるためのコードをさらに備える、Ｃ２３に記載のコンピュータ可読媒体。
[Ｃ２８]  前記第１のワイヤレス通信デバイスに前記第１のバックオフカウンタを決定させるための前記コードが、第１のコンテンションウィンドウに基づいて前記第１のバックオフカウンタを決定するようにさらに構成される、Ｃ２３に記載のコンピュータ可読媒体。
[Ｃ２９]  前記第１のワイヤレス通信デバイスに、前記第１の空間サブスペース内の送信誤り率と前記第２の空間サブスペース内の送信誤り率のうちの少なくとも一方に基づいて、前記第１のコンテンションウィンドウを更新させるためのコードをさらに備える、Ｃ２８に記載のコンピュータ可読媒体。
[Ｃ３０]  前記第１のワイヤレス通信デバイスに前記第２のバックオフカウンタを決定させるための前記コードが、第２のコンテンションウィンドウに基づいて前記第２のバックオフカウンタを決定するようにさらに構成される、Ｃ２８に記載のコンピュータ可読媒体。
[Ｃ３１]  前記第１のコンテンションウィンドウと前記第２のコンテンションウィンドウとが異なる、Ｃ３０に記載のコンピュータ可読媒体。
[Ｃ３２]  前記第１のワイヤレス通信デバイスに、前記第１の空間サブスペース内の送信誤り率に基づいて、前記第１のコンテンションウィンドウを更新させるためのコードと、
前記第１のワイヤレス通信デバイスに、前記第２の空間サブスペース内の送信誤り率に基づいて、前記第２のコンテンションウィンドウを更新させるためのコードとをさらに備える、Ｃ３０に記載のコンピュータ可読媒体。
[Ｃ３３]  前記第１のワイヤレス通信デバイスに、前記第１の空間サブスペースを介する前記通信媒体内の後続のＴＸＯＰを求めて競合するための第３のバックオフカウンタに前記送信が検出されたときの前記第１のバックオフカウンタの値を割り当てさせるためのコードをさらに備える、Ｃ２３に記載のコンピュータ可読媒体。
【図１】
0006930031.tif 000002
【図２】
0006930031.tif 000003
【図３】
0006930031.tif 000004
【図４】
0006930031.tif 000005
【図５】
0006930031.tif 000006
【図６】
0006930031.tif 000007
【図７】
0006930031.tif 000008
【図８】
0006930031.tif 000009
【図９】
0006930031.tif 000010
【図１０】
0006930031.tif 000011